(57)【要約】      （修正有）【課題】非可搬式のＡＶ装置の利点と移動先にも携行可能な可搬式ＡＶ装置の利点とを共有して経済性の向上をはかった親子式ＡＶ装置、親機、子機、及び子機収納装置を提供する。【解決手段】子機がクレードル３００から取り外されたことを検出した親機１００の制御手段１１６は、着脱検知検出手段３４２からの取り外し検出信号によって、電源制御手段１２０からの表示部１１２及びスピーカ１１４に対する駆動電源の供給を停止させ、表示部１１２及びスピーカ１１４からなる親機出力部の作動を停止させ、他方、電源制御手段１２０による信号処理手段１０８及び無線送受信手段１１０に対する駆動電源の供給を開始させ、信号処理手段１０８及び無線送受信手段１１０を作動状態にし、信号切替手段１０６に対し、チューナ１０２から供給される選局受信したテレビジョン放送チャンネルの映像・音声信号を信号処理手段１０８側に供給する切替指示を出力する。【選択図】図２
2006050345.tif 000002
【特許請求の範囲】
【請求項１】
親機により生成された情報信号を子機に供給し、該子機で再生する親子式ＡＶ装置であって、
前記親機は、
情報信号を生成する生成手段と、
該生成手段により生成された情報信号を出力する親機出力手段と、
該生成手段により生成された情報信号を可搬式の子機に対して送信する送信手段と、
前記子機の予め定められた収納部に対する着脱を検出する着脱検出手段と、
該着脱検出手段による前記子機の取り外し・装着検出に応じて、前記生成手段により生成された情報信号を前記送信手段を介して前記子機へ供給制御する供給制御手段とを備え、
前記子機は、
前記親機から送信される情報信号を受信する受信手段と、
該受信手段により受信された情報信号を出力する子機出力手段と、
前記収納部に対しての着脱状態に応じて、前記受信手段及び前記子機出力手段による出力作動を制御する作動制御手段とを備え、
前記親機出力手段による情報信号の出力中に、前記子機を前記収納部から取り外した場合には、前記親機の親機出力手段から出力している情報信号を前記子機の子機出力手段から出力させる
ことを特徴とする親子式ＡＶ装置。
【請求項２】
情報信号を子機に供給し、該子機で再生させる親子式ＡＶ装置の親機であって、
情報信号を生成する生成手段と、
該生成手段により生成された情報信号を出力する親機出力手段と、
該生成手段により生成された情報信号を可搬式の子機に対して送信する送信手段と、
前記子機の予め定められた収納部に対する着脱を検出する着脱検出手段と、
該着脱検出手段による前記子機の取り外し・装着検出に応じて、前記生成手段により生成された情報信号を前記送信手段を介して前記子機へ供給制御する供給制御手段とを備え、
該供給制御手段は、前記子機が前記収納部から取り外されている場合にのみ、前記生成手段により生成された情報信号を前記送信手段を介して当該子機へ供給する
ことを特徴とする親子式ＡＶ装置の親機。
【請求項３】
前記供給制御手段は、
前記着脱検出手段による前記子機の前記収納部からの取り外し検出によって、前記生成手段により生成された情報信号を前記送信手段を介して前記子機へ供給開始させる一方、前記着脱検出手段による前記子機の前記収納部への装着検出によって、当該子機への前記送信手段を介しての情報信号の供給を終了させる
ことを特徴とする請求項２記載の親子式ＡＶ装置の親機。
【請求項４】
前記供給制御手段は、
前記着脱検出手段による前記子機の前記収納部からの取り外し検出によって、前記親機出力手段による前記生成手段により生成された情報信号の出力を停止させる一方、前記着脱検出手段による前記子機の前記収納部への装着検出によって、前記親機出力手段による前記生成手段により生成された情報信号の出力を再開させる親機出力手段制御部
を備えていること特徴とする請求項３記載の親子式ＡＶ装置の親機。
【請求項５】
前記親機出力手段制御部は、前記親機出力手段による情報信号の出力停止中に、当該親機に予め備えられた操作部から出力開始指示が供給された場合には、前記親機出力手段による情報信号の出力を再開させる
ことを特徴とする請求項４記載の親子式ＡＶ装置の親機。
【請求項６】
前記生成手段は、映像信号，音声信号，又は映像・音声信号からなる情報信号を生成する
ことを特徴とする請求項２乃至５いずれかに記載の親子式ＡＶ装置の親機。
【請求項７】
前記子機の予め定められた収納部は親機筐体とは別筐体によって構成され、前記着脱検出手段は該収納部に配置され、該親機筐体に配置された前記供給制御手段に信号接続されている
ことを特徴とする請求項２乃至５いずれかに記載の親子式ＡＶ装置の親機。
【請求項８】
親機から供給される情報信号を再生する親子式ＡＶ装置の子機であって、
前記親機から送信される情報信号を受信する受信手段と、
該受信手段により受信された情報信号を出力する子機出力手段と、
予め定められた収納部に対しての着脱状態に応じて、前記受信手段及び前記子機出力手段の作動を制御する作動制御手段とを備え、
該作動制御手段は、前記収納部に対する収納状態では、前記子機出力手段を出力停止状態にするとともに、前記収納部からの取り外し状態では当該停止状態を解除し、前記受信手段及び前記子機出力手段を起動させる
ことを特徴とする親子式ＡＶ装置の子機。
【請求項９】
親機から供給される情報信号を再生する親子式ＡＶ装置の子機であって、
前記親機から送信される情報信号を受信する受信手段と、
該受信手段により受信された情報信号を出力する子機出力手段と、
前記親機に対しての操作指示を入力するとともに、子機モード又はリモコンモードを切替設定する入力手段と、
該入力手段によって入力された操作指示を前記親機へ送信する送信手段と、
予め定められた収納部に対しての着脱状態及び前記入力手段によって切替設定されたモード状態に応じて、前記受信手段及び前記子機出力手段の作動、前記送信手段を介しての前記親機への操作指示の送信を制御する作動制御手段と
を備え、
該作動制御手段は、前記収納部に対する収納状態では、前記受信手段及び子機出力手段を出力停止状態にするとともに、前記入力手段によって子機モードが設定されている場合には、前記収納部からの取り外し状態では当該停止状態を解除し、前記受信手段及び前記子機出力手段を起動させる
ことを特徴とする親子式ＡＶ装置の子機。
【請求項１０】
前記作動制御手段は、前記入力手段によって子機モードに代えてリモコンモードが切替設定された場合には、前記受信手段及び前記子機出力手段の作動を停止させる
ことを特徴とする請求項９記載の親子式ＡＶ装置の子機。
【請求項１１】
前記各部を前記収納部に対する取り外し状態で駆動するための充電池を備え、当該充電池の充電手段が備えられた前記収納部に着脱自在に収納されている
ことを特徴とする請求項８〜１０いずれかに記載の親子式ＡＶ装置の子機。
【請求項１２】
親子式ＡＶ装置の可搬式の子機を着脱自在に収納保持する子機収納装置であって、
前記子機の着脱を検知する着脱検出手段と、
前記収納保持された子機に備えられた充電池を充電する充電手段と、
外部機器から供給される情報信号が入力される外部信号入力部と、
前記外部機器からの情報信号を親機に備えられた親機出力装置に対して送信する第１の送信手段と、
前記外部機器からの情報信号を前記子機に備えられた子機出力装置に対して送信する第２の送信手段と、
前記着脱検出手段による前記子機の取り外し・装着検出に応じて、前記外部信号入力部に供給された情報信号を、前記親機出力装置又は前記子機出力装置に対して選択的に供給する供給制御手段と
を備え、
該供給制御手段は、前記着脱検出手段による前記子機の装着検出状態では、前記第１の送信手段を介して前記外部機器からの情報信号を前記親機出力装置に対してのみ送信し、前記着脱検出手段による前記子機の取り外し検出状態では、前記第２の送信手段を介して前記外部機器からの情報信号を前記子機出力装置に対してのみ送信する
ことを特徴とする親子式ＡＶ装置の子機収納装置。
【請求項１３】
親子式ＡＶ装置の可搬式の子機を着脱自在に収納保持する子機収納装置であって、
前記子機の着脱を検知する着脱検出手段と、
前記収納保持された子機に備えられた充電池を充電する充電手段と、
外部機器から供給される情報信号が入力される外部信号入力部と、
前記外部機器からの情報信号を親機に備えられた親機出力装置に対して送信する第１の送信手段と、
前記外部機器からの情報信号を前記子機に備えられた子機出力装置に対して送信する第２の送信手段と、
前記着脱検出手段による前記子機の取り外し・装着検出に応じて、前記外部信号入力部に供給された情報信号を、前記親機出力装置又は前記子機出力装置に対して供給制御する供給制御手段と
を備え、
該供給制御手段は、前記着脱検出手段による前記子機の装着検出状態では、前記第１の送信手段を介して前記外部機器からの情報信号を前記親機出力装置に対してのみ送信し、前記着脱検出手段による前記子機の取り外し検出状態では、前記親機出力装置に加えて、前記第２の送信手段を介して前記外部機器からの情報信号を前記子機出力装置に対しても送信する
ことを特徴とする親子式ＡＶ装置の子機収納装置。
【請求項１４】
親機により生成された情報信号を子機に供給し、該子機で再生する親子式ＡＶ装置であって、
前記親機は、
情報信号を生成する生成手段と、
該生成手段により生成された情報信号を出力する親機出力手段と、
該生成手段により生成された情報信号を可搬式の子機に対して送信する送信手段と、
前記子機による作動開始操作又は作動終了操作を検出する作動開始・終了検出手段と、
該作動開始・終了検出手段による前記子機の作動開始・作動終了検出に応じて、前記生成手段により生成された情報信号を前記送信手段を介して前記子機へ供給制御する供給制御手段とを備え、
前記子機は、
前記親機から送信される情報信号を受信する受信手段と、
該受信手段により受信された情報信号を出力する子機出力手段と、
当該子機の作動開始又は作動終了を操作指示するための操作指示手段と、
前記操作指示手段の操作に応じて、前記受信手段及び前記子機出力手段による出力作動を制御する作動制御手段とを備え、
前記親機出力手段による情報信号の出力中に、前記子機の操作指示手段が作動開始操作された場合には、前記親機の親機出力手段から出力している情報信号を前記子機の子機出力手段から出力させる
ことを特徴とする親子式ＡＶ装置。
【請求項１５】
情報信号を子機に供給し、該子機で再生させる親子式ＡＶ装置の親機であって、
情報信号を生成する生成手段と、
該生成手段により生成された情報信号を出力する親機出力手段と、
該生成手段により生成された情報信号を可搬式の子機に対して送信する送信手段と、
前記子機による作動開始操作又は作動終了操作を検出する作動開始・終了検出手段と、
該作動開始・終了検出手段による前記子機の作動開始操作又は作動終了操作の検出に応じて、前記生成手段により生成された情報信号を前記送信手段を介して前記子機へ供給制御する供給制御手段とを備え、
該供給制御手段は、前記作動開始・終了検出手段の検出出力に基づいて、前記子機の作動開始から作動開始終了までの間、前記生成手段により生成された情報信号を前記送信手段を介して当該子機へ供給する
ことを特徴とする親子式ＡＶ装置の親機。
【請求項１６】
親機から供給される情報信号を再生する親子式ＡＶ装置の子機であって、
前記親機から送信される情報信号を受信する受信手段と、
該受信手段により受信された情報信号を出力する子機出力手段と、
当該子機の作動開始又は作動終了を操作指示するための操作指示手段と、
前記操作指示スイッチ手段の操作に応じて、前記受信手段及び前記子機出力手段による出力作動を制御する作動制御手段とを備え、
該作動制御手段は、前記操作指示手段による作動開始の操作指示で、前記受信手段及び前記子機出力手段を起動するとともに、前記操作指示手段による作動終了の操作指示で、前記受信手段及び前記子機出力手段を出力停止状態にする
ことを特徴とする親子式ＡＶ装置の子機。
【発明の詳細な説明】
【技術分野】
【０００１】
本発明は、受信テレビジョン放送の映像・音声、又は記録媒体に記録されている映像，音声，あるいは映像・音声等、親機により生成された映像，音声，又は映像・音声を子機に供給し、子機で再生する親子式ＡＶ装置、さらにこの親子式ＡＶ装置を構成する親機、子機、及び子機収納装置に関する。
【背景技術】
【０００２】
映像，音声，又は映像・音声を出力するＡＶ（オーディオ・ビジュアル）装置の一例としてのテレビジョン受信機は、デジタル放送化等による放送映像や例えばＤＶＤ（Digital Versatile[Video] Disk）等の映像記録メディアの画質向上に伴って大画面でも鮮明な表示画質を保てるようになり、ＬＣＤ（Liquid Crystal Display），ＰＤＰ（Plasma Display Panel）等の薄型大型表示パネルの実用化と相まって、表示画面が大型化する傾向があり、機器自体も大型化している。その一方で、携帯電話装置やＰＤＡ（Personal Digital Assistant）にテレビジョン受信機能が備えられる等といったように、テレビジョン受信機の小型・携帯化の傾向もある。
【０００３】
また、ＡＶ装置の他の例としての音響装置の場合も、メディアのデジタル化によって、多数のスピーカを使用したサラウンドシステムのようにホームシアター化による大型化の傾向がある。その一方で、インターネットや無線ＬＡＮを介して配信された音楽をＰＤＡ等の携帯端末に蓄積して聴取する等といったように、小型・携帯化の傾向もある。
【０００４】
このように、映像，音声，又は映像・音声を出力するＡＶ装置の場合、その利用スタイル等に応じて、その視聴形態も多様化する傾向にある。
【０００５】
【特許文献１】特開平１１−１９６３４５号公報
【発明の開示】
【発明が解決しようとする課題】
【０００６】
ところが、上述したＡＶ装置においては、その利用スタイル等に応じた視聴形態（以下、本説明では、音声のみによる聴取、表示のみによる視認、さらに映像、音声信号以外の文字放送やデータ放送等のテキストデータ表示の視認、及びこれらの組み合わせも、“視聴”と総称する）の多様化によって次の述べるような問題点が生じるようになってきた。その問題点について、テレビジョン受信機を例に説明する。
【０００７】
例えば、ユーザがテレビジョン放送等を視聴している場合、その視聴中であってもテレビジョン受信機が置かれている部屋から別の部屋等に移動して用事を行わなければならない場合がある。そこで、このような場合であっても、移動先でテレビジョン放送を視聴し続けることができるように、別体構成の受信機本体と可搬式の受像機（すなわち表示装置）とを備えた受像機分離型のテレビジョン受信機がある。この受像機分離型のテレビジョン受信機では、受信機本体は選局受信したテレビジョン放送の映像や音声をワイヤレスで送信可能な送信部を、また可搬式の受像機はこの受信機本体の送信部からの送信信号を受信する受信部を備えている。ユーザは、移動する場合は、移動先に可搬式の受像機のみを携行し、移動先で受像機の受信部により受信機本体の送信部からのテレビジョン放送の映像や音声の送信信号を受信して表示及び音声出力することによって、移動元で視聴していたテレビジョン放送を継続して視聴できるようになっている。
【０００８】
しかし、このような受像機分離型のテレビジョン受信機にあっては、可搬式の受像機はユーザによる移動先への携行を考慮しなければならないため、その表示部（表示画面）の大きさは受像機の大きさ及び重量の関係から限られたものになってしまう。
【０００９】
したがって、ユーザが、例えばデジタル放送化等によって画質向上がはかられたテレビジョン放送を大画面でも視聴したいと希望する場合は、大型表示部（大型画面）を備えた例えば据置型や壁掛型等といった非可搬式のテレビジョン受信機を別途用意し、利用しなければならなかった。
【００１０】
しかしながら、この場合は、ユーザが非可搬式のテレビジョン受信機により視聴していたテレビジョン放送をこの非可搬式のテレビジョン受信機が配置された場所（以下、説明便宜のため移動元と称する）とは別の場所（以下、説明便宜のため移動先と称する）で可搬式テレビジョン受信機により継続して視聴する場合、反対に移動先で可搬式テレビジョン受信機を用いて視聴していたテレビジョン放送を移動元で非可搬式テレビジョン受信機を用いて視聴する場合は、移動の際に、いずれか一方のテレビジョン受信機に対して視聴継続のための操作を行わなければならなかった。すなわち、これらの場合、ユーザは、視聴継続のための操作として、今まで視聴に用いていた一方のテレビジョン受信機の作動停止を必要に応じて行う一方、これから視聴に用いる他方のテレビジョン受信機の受信選局を行う必要があった。
【００１１】
さらに、テレビジョン放送の受信機能を備えていないモニタ機器の場合は、セットトップボックスを介して供給されるＣＡＴＶ（Cable TV）放送の放送映像、ＤＶＤ，ＨＤＤ（Hard Disk Drive），ＶＴＲ（Video Tape Recorder），カメラ等といった外部機器から供給される記録映像、インターネットや無線ＬＡＮを介して送られてくる放送又は番組映像を、表示出力する場合に用いられるが、このモニタ機器にあっても同様な問題点が生じる。例えば、大画面で放送映像等を視聴したいと希望する場合は、モニタ機器は大型化のため非可搬式のものとならざるを得ず、そのためこの非可搬式のモニタが配置された移動元とは別の移動先で可搬式モニタ機器により継続して視聴しようとする場合は、さらに外部機器等も可搬式モニタ機器とともに一緒に移動先に移動させなければならないため、テレビジョン放送の視聴の場合よりもその手間がかかる。
【００１２】
このように、テレビジョン受信機に限らずＡＶ装置の場合は、その利用スタイル等に応じた視聴形態の多様化により、ユーザの移動に伴って、それまで視聴していた映像（前述した文字放送やデータ放送等におけるテキストデータの表示も含む）又は音声の視聴継続をいかに手間無く、容易に行えるようにするかが課題となる。
【００１３】
本発明は、上述した問題点を解決し、視聴継続のための操作を行う必要をなくしてユーザの利便性の向上をはかるととともに、モニタ機器，音響機器，テレビジョン受信機等といった、映像，音声，又は映像・音声を出力するＡＶ装置を複数台所持せずとも、大型表示部（大型画面）等といった非可搬式のＡＶ装置の利点と移動先にも携行できる等といった可搬式のＡＶ装置の利点とを共有して、経済性の向上をはかった親子式ＡＶ装置、親機、子機、及び子機収納装置を提供することを目的とする。
【課題を解決するための手段】
【００１４】
上述した課題を解決するために、本発明の親子式ＡＶ装置は、親機により生成された情報信号を子機に供給し、該子機で再生する親子式ＡＶ装置であって、前記親機は、情報信号を生成する生成手段と、該生成手段により生成された情報信号を出力する親機出力手段と、該生成手段により生成された情報信号を可搬式の子機に対して送信する送信手段と、前記子機の予め定められた収納部に対する着脱を検出する着脱検出手段と、該着脱検出手段による前記子機の取り外し・装着検出に応じて、前記生成手段により生成された情報信号を前記送信手段を介して前記子機へ供給制御する供給制御手段とを備え、前記子機は、前記親機から送信される情報信号を受信する受信手段と、該受信手段により受信された情報信号を出力する子機出力手段と、前記収納部に対しての着脱状態に応じて、前記受信手段及び前記子機出力手段による出力作動を制御する作動制御手段とを備え、前記親機出力手段による情報信号の出力中に、前記子機を前記収納部から取り外した場合には、前記親機の親機出力手段から出力している情報信号を前記子機の子機出力手段から出力させることを特徴とする。
【００１５】
また、本発明の親子式ＡＶ装置の親機は、情報信号を子機に供給し、該子機で再生させる親子式ＡＶ装置の親機であって、情報信号を生成する生成手段と、該生成手段により生成された情報信号を出力する親機出力手段と、該生成手段により生成された情報信号を可搬式の子機に対して送信する送信手段と、前記子機の予め定められた収納部に対する着脱を検出する着脱検出手段と、該着脱検出手段による前記子機の取り外し・装着検出に応じて、前記生成手段により生成された情報信号を前記送信手段を介して前記子機へ供給制御する供給制御手段とを備え、該供給制御手段は、前記子機が前記収納部から取り外されている場合にのみ、前記生成手段により生成された情報信号を前記送信手段を介して当該子機へ供給することを特徴とする。
【００１６】
また、本発明の親子式ＡＶ装置の子機は、親機から供給される情報信号を再生する親子式ＡＶ装置の子機であって、前記親機から送信される情報信号を受信する受信手段と、該受信手段により受信された情報信号を出力する子機出力手段と、予め定められた収納部に対しての着脱状態に応じて、前記受信手段及び前記子機出力手段の作動を制御する作動制御手段とを備え、該作動制御手段は、前記収納部に対する収納状態では、前記子機出力手段を出力停止状態にするとともに、前記収納部からの取り外し状態では当該停止状態を解除し、前記受信手段及び前記子機出力手段を起動させることを特徴とする。
【００１７】
また、本発明の親子式ＡＶ装置の子機は、親機から供給される情報信号を再生する親子式ＡＶ装置の子機であって、前記親機から送信される情報信号を受信する受信手段と、該受信手段により受信された情報信号を出力する子機出力手段と、前記親機に対しての操作指示を入力するとともに、子機モード又はリモコンモードを切替設定する入力手段と、該入力手段によって入力された操作指示を前記親機へ送信する送信手段と、予め定められた収納部に対しての着脱状態及び前記入力手段によって切替設定されたモード状態に応じて、前記受信手段及び前記子機出力手段の作動、前記送信手段を介しての前記親機への操作指示の送信を制御する作動制御手段とを備え、該作動制御手段は、前記収納部に対する収納状態では、前記受信手段及び子機出力手段を出力停止状態にするとともに、前記入力手段によって子機モードが設定されている場合には、前記収納部からの取り外し状態では当該停止状態を解除し、前記受信手段及び前記子機出力手段を起動させることを特徴とする。
【００１８】
また、本発明の親子式ＡＶ装置の子機収納装置は、親子式ＡＶ装置の可搬式の子機を着脱自在に収納保持する子機収納装置であって、前記子機の着脱を検知する着脱検出手段と、前記収納保持された子機に備えられた充電池を充電する充電手段と、外部機器から供給される情報信号が入力される外部信号入力部と、前記外部機器からの情報信号を親機に備えられた親機出力装置に対して送信する第１の送信手段と、前記外部機器からの情報信号を前記子機に備えられた子機出力装置に対して送信する第２の送信手段と、前記着脱検出手段による前記子機の取り外し・装着検出に応じて、前記外部信号入力部に供給された情報信号を、前記親機出力装置又は前記子機出力装置に対して選択的に供給する供給制御手段とを備え、該供給制御手段は、前記着脱検出手段による前記子機の装着検出状態では、前記第１の送信手段を介して前記外部機器からの情報信号を前記親機出力装置に対してのみ送信し、前記着脱検出手段による前記子機の取り外し検出状態では、前記第２の送信手段を介して前記外部機器からの情報信号を前記子機出力装置に対してのみ送信することを特徴とする。
【００１９】
また、本発明の親子式ＡＶ装置の子機収納装置は、親子式ＡＶ装置の可搬式の子機を着脱自在に収納保持する子機収納装置であって、前記子機の着脱を検知する着脱検出手段と、前記収納保持された子機に備えられた充電池を充電する充電手段と、外部機器から供給される情報信号が入力される外部信号入力部と、前記外部機器からの情報信号を親機に備えられた親機出力装置に対して送信する第１の送信手段と、前記外部機器からの情報信号を前記子機に備えられた子機出力装置に対して送信する第２の送信手段と、前記着脱検出手段による前記子機の取り外し・装着検出に応じて、前記外部信号入力部に供給された情報信号を、前記親機出力装置又は前記子機出力装置に対して供給制御する供給制御手段とを備え、該供給制御手段は、前記着脱検出手段による前記子機の装着検出状態では、前記第１の送信手段を介して前記外部機器からの情報信号を前記親機出力装置に対してのみ送信し、前記着脱検出手段による前記子機の取り外し検出状態では、前記親機出力装置に加えて、前記第２の送信手段を介して前記外部機器からの情報信号を前記子機出力装置に対しても送信することを特徴とする。
【００２０】
また、本発明の親子式ＡＶ装置は、親機により生成された情報信号を子機に供給し、該子機で再生する親子式ＡＶ装置であって、前記親機は、情報信号を生成する生成手段と、該生成手段により生成された情報信号を出力する親機出力手段と、該生成手段により生成された情報信号を可搬式の子機に対して送信する送信手段と、前記子機による作動開始操作又は作動終了操作を検出する作動開始・終了検出手段と、該作動開始・終了検出手段による前記子機の作動開始・作動終了検出に応じて、前記生成手段により生成された情報信号を前記送信手段を介して前記子機へ供給制御する供給制御手段とを備え、前記子機は、前記親機から送信される情報信号を受信する受信手段と、該受信手段により受信された情報信号を出力する子機出力手段と、当該子機の作動開始又は作動終了を操作指示するための操作指示手段と、前記操作指示手段の操作に応じて、前記受信手段及び前記子機出力手段による出力作動を制御する作動制御手段とを備え、前記親機出力手段による情報信号の出力中に、前記子機の操作指示手段が作動開始操作された場合には、前記親機の親機出力手段から出力している情報信号を前記子機の子機出力手段から出力させることを特徴とする。
【００２１】
また、本発明の親子式ＡＶ装置の親機は、情報信号を子機に供給し、該子機で再生させる親子式ＡＶ装置の親機であって、情報信号を生成する生成手段と、該生成手段により生成された情報信号を出力する親機出力手段と、該生成手段により生成された情報信号を可搬式の子機に対して送信する送信手段と、前記子機による作動開始操作又は作動終了操作を検出する作動開始・終了検出手段と、該作動開始・終了検出手段による前記子機の作動開始操作又は作動終了操作の検出に応じて、前記生成手段により生成された情報信号を前記送信手段を介して前記子機へ供給制御する供給制御手段とを備え、該供給制御手段は、前記作動開始・終了検出手段の検出出力に基づいて、前記子機の作動開始から作動開始終了までの間、前記生成手段により生成された情報信号を前記送信手段を介して当該子機へ供給することを特徴とする。
【００２２】
また、本発明の親子式ＡＶ装置の子機は、親機から供給される情報信号を再生する親子式ＡＶ装置の子機であって、前記親機から送信される情報信号を受信する受信手段と、該受信手段により受信された情報信号を出力する子機出力手段と、当該子機の作動開始又は作動終了を操作指示するための操作指示手段と、前記操作指示スイッチ手段の操作に応じて、前記受信手段及び前記子機出力手段による出力作動を制御する作動制御手段とを備え、該作動制御手段は、前記操作指示手段による作動開始の操作指示で、前記受信手段及び前記子機出力手段を起動するとともに、前記操作指示手段による作動終了の操作指示で、前記受信手段及び前記子機出力手段を出力停止状態にすることを特徴とする。
【発明の効果】
【００２３】
本発明の親子式ＡＶ装置、親機、子機、及び子機収納装置によれば、親機又は子機のいずれか一方で視聴していた放送映像又は放送音声、外部機器から供給される記録映像又は記録音声、インターネットや無線ＬＡＮを介して送られてくる放送あるいは番組の映像や又は音声、等を、親機又は子機のいずれか他方で継続して視聴する場合であっても、子機の収納部に対する着脱に応じてその視聴を親機又は子機のいずれか一方から他方に自動的に切り替えることができるので、視聴継続のための操作を行う必要をなくしてユーザの利便性の向上をはかることができる。
【００２４】
また、視聴が親機又は子機のいずれか一方から他方に切り替わる際、今まで視聴していた親機又は子機のいずれか一方は、放送映像等の映像を表示する表示部や音声を出力する音声出力部といった出力手段又は出力装置が作動停止するようにすれば、その省エネ化がはかれる一方、今まで視聴していた親機又は子機のいずれか一方も放送映像等の映像を表示する表示部や音声を出力する音声出力部といった出力手段又は出力装置が作動継続するようにしておけば、親機及び子機の両方で映像，音声，又は映像・音声を同時視聴することができる。
【００２５】
さらに、親機と子機とでテレビジョン受信機の選局受信部、ＣＡＴＶ放送のセットトップボックス、ＤＶＤ，ＨＤＤ，ＶＴＲ，カメラ等といった外部機器、インターネットや無線ＬＡＮの接続機器等を共用できるとともに、これら機器自体の移動や接続変更も必要としないので、その経済性等も向上する。
【発明を実施するための最良の形態】
【００２６】
本発明の親子式ＡＶ装置、親機、子機、及び子機収納装置の一実施の形態について、図面とともに説明する。
【００２７】
［第１の実施の形態］
図１は、本発明の一実施の形態による親子式ＡＶ装置の構成図である。
【００２８】
本発明の一実施の形態による親子式ＡＶ装置１は、親機１００と、子機２００と、子機２００を着脱可能に収納保持する子機収納装置としてのクレードル３００とを備えて構成されている。子機２００は、非使用時はクレードル３００に載置されて装着され、使用時はユーザによりクレードル３００から取り外されて携行可能になっている。なお、図１では、クレードル３００は、親機１００の筐体と別筐体で構成されて親機１００に接続された構成として表わされているが、親機１００と一体的に構成されて親機１００と同一筐体であってもよい。
【００２９】
図２は、本発明の一実施の形態による親子式ＡＶ装置の一実施例としての親子式テレビジョン受信機における親機及びクレードルの実施例の構成図である。
【００３０】
本実施例の親機１００は、チューナ１０２，外部機器信号入力Ｉ／Ｆ（interface）１０４，信号切替手段１０６，信号処理手段１０８，無線送受信手段１１０，表示部１１２，スピーカ１１４，制御手段１１６，リモコン信号入力Ｉ／Ｆ１１８，電源制御手段１２０，バックアップ電源１２１，主電源ＳＷ（スイッチ）１２２，及びリモコン操作器１２４を有する。
【００３１】
チューナ１０２は、アンテナ１０３を介して受信されるテレビジョン放送波から制御手段１１６の選局指示によって指定されたテレビジョン放送チャンネルを選局受信し、当該選局受信したテレビジョン放送チャンネルの高周波放送信号を復調してビデオ信号からなる映像・音声信号を情報信号として出力する。
【００３２】
外部機器信号入力Ｉ／Ｆ１０４は、例えばＶＴＲ，ＤＶＤプレーヤ（ＤＶＤ再生機），ＣＡＴＶチューナ等といった図示せぬ映像記録機器（外部機器に対応）から供給されるＲＦ（Radio Frequency）信号やビデオ信号が入力され、制御手段１１６の出力指示によって当該映像記録機器から供給されたＲＦ信号やビデオ信号を再生してビデオ信号からなる映像・音声信号を情報信号として出力する。
【００３３】
信号切替手段１０６は、制御手段１１６からの選局指示又は出力指示によってチューナ１０２又は外部機器信号入力Ｉ／Ｆ１０４から供給される映像・音声信号（情報信号）を、制御手段１１６から供給される出力先指示に応じて、信号処理手段１０８、又は表示部１１２及びスピーカ１１４に供給出力する。
【００３４】
信号処理手段１０８は、例えば映像信号をＭＰＥＧ（Moving Picture Image Coding Experts Group ）方式で画像圧縮する等して、信号切替手段１０６から供給された映像・音声信号に無線通信のために適した信号処理を施して映像・音声信号の送信データを生成し、無線送受信手段１１０に供給する。
【００３５】
表示部１１２は、ＬＣＤ又はＰＤＰ等によって構成された、移動の際におけるユーザによる携行が難しい非可搬の表示器（例えば、大型、大画面の表示器）とその駆動回路とを備えて構成され、親機出力部として、選局受信したテレビジョン放送チャンネル等の映像（テキストデータの表示も含む）を表示する。
【００３６】
スピーカ１１４は、表示部１１２とともに親機出力部として、選局受信したテレビジョン放送チャンネル等の音声を音声出力する。
【００３７】
無線送受信手段１１０は、信号処理手段１０８から供給される映像・音声信号の送信データや後述する制御手段１１６により管理される親機１００の状態情報の送信データを、例えばＩＥＥＥ８０２．１１ａ、８０２．１１ｂ、８０２．１１ｇ、あるいはブルートゥース（Bluetooth）等といった所定の近距離無線通信規格に基づき生成し、無線送信出力する。また、無線送受信手段１１０は、所定の近距離無線通信規格によって子機２００から発信された子機２００の状態情報の送信データを受信し、制御手段１１６に供給する。
【００３８】
リモコン信号入力Ｉ／Ｆ１１８は、リモコン操作器１２４からユーザの操作に基づき発信される親機１００に対する指示入力や設定入力を受信し、制御手段１１６に供給する。
【００３９】
電源制御手段１２０は、商用電源から親機１００各部のそれぞれ駆動電源を生成して当該各部に供給するとともに、付設のバックアップ電源１２１にも電源を供給する。そして、電源制御手段１２０は、制御手段１１６からの供給制御指示によって、表示部１１２及びスピーカ１１４により構成される親機出力部、信号処理手段１０８及び無線送受信手段１１０により構成される受信テレビジョン放送や外部機器による映像及び音声の送信手段、等に対し、生成した駆動電源の供給を制御できる構成になっている。主電源ＳＷ１２２は、その操作によって、電源制御手段１２０と商用電源との間の電気的接続を導通・遮断する。バックアップ電源１２１は、主電源ＳＷ１２２で電源制御手段１２０と商用電源との間の電気的接続が遮断された後から親機１００が必要な処理を終了するまでの間、電源制御手段１２０等の必要部分へ電源を供給する。
【００４０】
リモコン操作器１２４は、リモコン電源ＳＷ１２６，選局ＳＷ（チャンネルキー）１２８，入力メディア選択ＳＷ１３０等といった操作片や、これら操作片の操作に基づく指示・設定信号を送信するためのリモコン送信部（図示省略）を備える。
【００４１】
制御手段１１６は、リモコン操作器１２４からリモコン信号入力Ｉ／Ｆ１１８を介して入力される指示・設定信号、クレードル３００から供給される後述の子機着脱検出信号に基づいて、上述した親機各部の作動を制御する。
【００４２】
一方、子機収納装置としてのクレードル３００は、本実施例では、親機筺体とは別筺体で構成され、親機筺体に信号接続されて設けられている。クレードル３００は、子機２００に備えられ子機各部に駆動電源を供給するための充電池を充電するための充電手段３４０と、子機２００のクレードル３００に対する着脱を検出する着脱検出手段３４２とを備えている。クレードル３００は、子機２００が装着されると、充電手段３４０が子機２００に備えられた充電池２５０を充電する構成になっている。
【００４３】
図３は、本発明の一実施の形態による親子式ＡＶ装置の一実施例としての親子式テレビジョン受信機における子機の実施例の構成図である。
【００４４】
本実施例の子機２００は、無線送受信手段２１０，信号処理手段２０８，表示部２１２，スピーカ２１４，制御手段２１６，電源制御手段２２０，子機電源スイッチ（ＳＷ）２２２，充電池２５０を有する。
【００４５】
無線送受信手段２１０は、親機１００から所定の近距離無線通信規格によって送信された映像・音声信号や当該親機の状態情報に関する送信信号を受信し、その映像・音声信号の受信データを信号処理手段２０８に供給するとともに、親機１００の状態情報の受信データを制御手段２１６に供給する。また、無線送受信手段２１０は、制御手段２１６により管理された当該子機の状態情報の送信データを所定の近距離無線通信規格によって送信出力する。
【００４６】
信号処理手段２０８は、無線送受信手段２１０から供給される映像・音声信号の受信データに信号処理して施して、映像・音声信号を復元して表示部２１２及びスピーカ２１４に供給する。
【００４７】
表示部２１２は、ＬＣＤ又はＰＤＰ等によって構成され、移動の際にユーザが携行し易いように親機１００の表示部１１２に比して小型（小型画面）の表示器と、その駆動回路とを備えて構成されている。表示部２１２は、子機出力部として、親機１００により選局受信されて送信されたテレビジョン放送チャンネル等の映像を表示出力する。
【００４８】
スピーカ２１４は、表示部２１２とともに子機出力部として、親機１００により選局受信されて送信されたテレビジョン放送チャンネル等の音声を音声出力する。
【００４９】
電源制御手段２２０は、充電池２５０から子機各部のそれぞれ駆動電源を生成して供給する。そして、本実施例では、電源制御手段２２０は、子機２００がクレードル３００に収納保持された状態では、その保持開始によって当該子機２００の各部への駆動電源の供給を停止する構成になっている。また、電源制御手段２２０は、子機２００がクレードル３００から取り外されたときには、充電池２５０から生成した子機各部の駆動電源を子機各部に供給開始する構成になっている。さらに、電源制御手段２２０は、制御手段２１６からの指示又は次に述べる子機電源ＳＷ２２２の操作により、子機各部への駆動電源の供給を停止又は再開できる構成にもなっている。
【００５０】
子機電源ＳＷ２２２は、子機２００がクレードル３００から取り外されて電源制御手段２２０により子機各部へ駆動電源の供給が行われている状態で、電源制御手段２２０から子機各部への駆動電源の供給を停止又は再開する際に操作される操作片である。充電池２５０は、子機２００がクレードル３００に装着された状態で、クレードル３００に備えられた充電手段に３０２によって充電され、子機各部に駆動電力を供給する。そして、制御手段２１０は、上述した子機各部の作動を制御する。
【００５１】
その上で、本実施例の親子式テレビジョン受信機では、親機１００の制御手段１１６及び子機２００の制御手段２１６は、それぞれＣＰＵ，メモリ等を有して構成され、親機１００及び子機２００は、それぞれの制御手段１１６，２１６によって図４に示すように視聴制御される構成になっている。その視聴制御に当たって、親機１００及び子機２００の制御手段１１６，２１６には、作動状態を記憶保持する状態記憶エリアや直前までの視聴情報（例えば、ユーザが視聴選択したテレビジョン放送チャンネルの選局情報等）を記憶保持する視聴情報記憶エリア等が備えられている。この状態記憶エリアや視聴情報記憶エリアは、例えば、電源停止時も記憶保持可能なメモリ（例えば、フラッシュメモリ等）に構成されている。
【００５２】
図４は、図２及び図３に示した親機１００及び子機２００の状態遷移表である。
【００５３】
本実施例の親子式テレビジョン受信機における親機１００の制御手段１１６，子機２００の制御手段２１６は、図４に示した状態遷移表にしたがって、次のような視聴制御を行う。
【００５４】
図４において、表中の符号Ａ〜Ｉは、親機１００及び子機２００の状態記憶エリアに記憶される親機１００及び子機２００の作動状態（作動状態の種別）を示したものである。また、図４において、表中の符号Ｓ１１〜Ｓ１５は、各作動状態Ａ〜Ｉにおける親機１００及び子機２００の個別状態を示し、同じく符号Ｓ２１〜Ｓ２８は、各作動状態Ａ〜Ｉにおいて親機１００及び子機２００が監視する個別状態を示す。そして、表中の作動状態Ａ〜Ｉと状態項目Ｓ１１〜Ｓ１５とのマトリックスで規定される各欄A-S11〜I-S15は、その作動状態Ａ〜Ｉにおける親機１００又は子機２００の個別状態内容を表わし、作動状態Ａ〜Ｉと状態項目Ｓ２１〜Ｓ２８とのマトリックスで規定される各欄A-S21〜I-S28は、その作動状態Ａ〜Ｉにおける親機１００又は子機２００の作動状態Ａ〜Ｉの遷移先を表わす。
【００５５】
以下、各作動状態Ａ〜Ｉ毎に分けて、親機１００及び子機２００の作動状態の遷移について説明する。
【００５６】
＜作動状態Ｇ＞
作動状態Ｇは、親機１００の主電源ＳＷ１２２がオフ操作された状態（欄G-S11）で、子機２００がクレードル３００に装着されている状態（G-S12）を示している。この作動状態Ｇは、本実施例の親子式テレビジョン受信機における親機１００及び子機２００の非使用時の通常状態（通常の非作動状態）に相当する。
【００５７】
作動状態Ｇでは、親機１００は主電源ＳＷ１２２がオフ（OFF）状態になっているため、親機１００の電源制御手段１２０と商用電源との間の電気的接続は遮断され、電源オフ状態になっている（G-S11）。したがって、親機各部へは電源制御手段１２０を介して駆動電源が供給されず、親機出力部を構成する表示部１１２も非表示状態（非作動状態）になっている（G-S14）。また、子機２００も、クレードル３００に装着状態になっているため（G-S12）、電源オフ状態になっている（G-S13）。したがって、子機各部へは電源制御手段２２０を介して充電池２５０から駆動電源が供給されず、子機出力部を構成する表示部２１２も非表示状態（非作動状態）になっている（G-S15）。
【００５８】
この作動状態Ｇでは、親機１００は、ユーザによる主電源ＳＷ１２２のオン（ＯＮ）操作待ち状態になっている（G-S23）。また、子機２００は、ユーザによるクレードル３００から取り外され待ち状態になっている（G-S21）。
【００５９】
この作動状態Ｇで、親機１００の主電源ＳＷ１２２がユーザによりオン操作されると（G-S23）、電源制御手段１２０と商用電源との間が接続され、電源制御手段１２０を介して親機１００の制御手段１１６へ駆動電源が供給される。制御手段１１６は、この駆動電源の供給により、着脱検出手段３４２からの検出信号に基づき、子機２００がクレードル３００に装着されている作動状態Ｇであることを確認した場合は、状態記憶エリアに記憶されている作動状態Ｇに代えて作動状態Ａを更新記憶し、作動状態Ａに対応する処理を行う。なお、この場合において、制御手段１１６は、この駆動電源の供給により、着脱検出手段３４２からの検出信号に基づき、子機２００がクレードル３００に装着されていないことによって作動状態Ｇであることが確認できない場合は、後述するように、作動状態Ｉにおいて主電源ＳＷ１２２のオン操作された場合（I-S23）の作動状態Ｃ、又は後述の作動状態Ｈにおいて主電源ＳＷ１２２のオン操作された場合（H-S23）の作動状態Ｄを状態記憶エリアに更新記憶し、作動状態Ｃ又はＤに対応する処理を行うことになる。
【００６０】
これに対し、この作動状態Ｇで、子機２００がクレードル３００からユーザによって取り外されると（G-S21）、本実施例の子機２００は、電源制御手段２２０を介して供給される充電池２５０からの駆動電源により、表示部２１２及びスピーカ２１４からなる子機出力部を除いた各部が一旦、作動状態になり、無線送受信手段２１０を介して子機電源ＳＷオン情報を送信出力する。しかしながら、この作動状態Ｇでは、ユーザによって親機１００の主電源ＳＷ１２２はオン操作されておらず親機１００は電源オフ状態になっている。そのため、子機２００は、後述の作動状態Ｉを状態記憶エリアに更新記憶するとともに、ユーザの子機電源ＳＷ２２２のオフ操作によらず制御手段２１６が一旦オンした電源をオフする。この場合において、制御手段２１６は、親機１００の電源オフ状態を、例えば、前述した一旦作動状態になって子機電源ＳＷオン情報を送信出力したのに対応して、所定時間以上、無線送受信手段２１０を介して親機１００からの送信信号が受信できないことによって判別する。
【００６１】
そして、この作動状態Ｇで、子機２００がクレードル３００からユーザにより取り外された状態は（G-S21）、後述する作動状態Ｉと同一状態になる。
【００６２】
＜作動状態Ａ＞
作動状態Ａは、子機２００がクレードル３００に装着されている状態で（G-S11〜G-S15）、親機１００の主電源ＳＷ１２２がオン操作された状態を示している（G-S23）。この作動状態Ａは、主電源ＳＷ１２２のオン操作による、親機１００を使用した通常の視聴状態に対応する。
【００６３】
作動状態Ａでは、親機１００は、主電源ＳＷ１２２のオン操作によって（A-S11）、親機１００の電源制御手段１２０と商用電源との間の電気的接続がなされ、電源制御手段１２０を介して駆動電源の供給を受け、親機出力部を構成する表示部１１２は表示状態（作動状態）になっている（A-S14）。
【００６４】
また、子機２００は、クレードル３００に装着状態になっているので（A-S12）、子機各部には電源制御手段２２０を介して電源が供給されないオフ・充電状態になっており（A-S13）、子機出力部を構成する表示部２１２は非表示状態になっている（A-S15）。
【００６５】
親機１００では、このような作動状態Ａに対応する処理として、その制御手段１１６が次の処理を行う。
【００６６】
親機１００では、制御手段１１６が、チューナ１０２から供給される選局受信したテレビジョン放送チャンネルの映像・音声信号を、親機出力部としての表示部１１２及びスピーカ１１４側に供給する切替指示を、信号切替手段１０６に供給する。また、制御手段１１６は、子機２００がクレードル３００に装着されたオフ・充電状態になっているので、信号処理手段１０８及び無線送受信手段１１０に対する駆動電源の供給停止指示を電源制御手段１２０に供給し、これらを作動停止させる。そして、制御手段１１６は、視聴情報記憶エリアに記憶された選局情報に基づく選局指示を、チューナ１０２に供給する。
【００６７】
この結果、親機１００では、前回、ユーザが主電源ＳＷ１２２のオフ操作を行った際に選局指示していたテレビジョン放送チャンネルがチューナ１０２によって選局受信され、その映像が表示状態（作動状態）になっている表示部１１２に表示される。
【００６８】
これにより、子機２００がクレードル３００に装着されている状態で（G-S12）、親機１００の主電源ＳＷ１２２のオン操作を行った作動状態Ａでは、ユーザは親機１００の表示部１１２を使用した通常のテレビジョン放送の視聴が行える。
【００６９】
そして、親機１００の制御手段１１６は、この作動状態Ａでは、ユーザによって子機２００がクレードル３００から取り外されたか（A-S21）、主電源ＳＷ１２２がオフ操作されたか（A-S25）、リモコン操作器１２４のリモコン電源ＳＷ１２６がオフ操作されたか（A-S26）、を監視している。
【００７０】
その際、親機１００の制御手段１１６は、クレードル３００から子機２００が取り外されたことを（A-S21）、クレードル３００に設けられた着脱検知検出手段３４２からの取り外し検出信号の入力に基づき検出すると、状態記憶エリアに作動状態Ａに代えて作動状態Ｄを更新記憶し、後述する作動状態Ｄに対応する処理を行う。
【００７１】
また、親機１００の制御手段１１６は、主電源ＳＷ１２２がオフ操作されたことを（A-S25）、制御手段１１６自身に対する駆動電源の遮断を、例えば電源制御手段２２０からの電源供給オフ信号の供給等に基づいて検出すると、ユーザが直前まで視聴していたテレビジョン放送チャンネルの選局情報等の視聴情報を視聴情報記憶エリアに更新記憶する。そして、制御手段１１６は、前述した作動状態Ｇに戻る。主電源ＳＷ１２２のオフ操作からここまでの電源供給はバックアップ電源１２１を利用する。この作動状態Ｇは、前述した親機各部への駆動電源の供給がなくなり、親機出力部を構成する表示部１１２が非表示状態（非作動状態）になっている状態である。したがって、作動状態Ａで主電源ＳＷ１２２がオフ操作されることは、ユーザによる親機１００の表示部１１２を使用した通常のテレビジョン放送の視聴が終了することを表わしている。
【００７２】
また、親機１００の制御手段１１６は、リモコン操作器１２４のリモコン電源ＳＷがオフ操作されたことを（A-S26）、リモコン信号入力Ｉ／Ｆ１１８を介してのリモコン電源オフ信号の入力により検出すると、ユーザが直前まで視聴していたテレビジョン放送チャンネルの選局情報等の視聴情報を視聴情報記憶エリアに更新記憶する。そして、制御手段１１６は、状態記憶エリアに作動状態Ａに代えて作動状態Ｆを更新記憶し、後述の作動状態Ｆに対応する処理を行う。なお、この作動状態Ａで、リモコン操作器１２４のリモコン電源ＳＷがオフ操作されることは、ユーザによる親機１００の表示部１１２を使用した通常のテレビジョン放送の視聴が一時中断されることを表わしている。
【００７３】
なお、子機２００は、この作動状態Ａに対応する処理として、作動状態Ｇで説明したと同様な、クレードル３００から取り外され待ち状態になっている（G-S21）。
【００７４】
＜作動状態Ｄ＞
作動状態Ｄは、作動状態Ａで説明した親機１００の表示部１１２を用いた通常の視聴状態で（A-S11〜A-S15）、子機２００がクレードル３００から取り外された場合の状態を示している（A-S21）。この作動状態Ｄは、親機１００の表示部１１２で視聴していたテレビジョン放送チャンネルを、可搬式の子機２００によって継続視聴する状態に対応する。
【００７５】
作動状態Ｄでは、子機２００がクレードル３００から取り外されたことを検出した親機１００の制御手段１１６は、作動状態Ｄに対応する処理として、次のような処理を行う。
【００７６】
制御手段１１６は、子機２００のクレードル３００からの取り外しによって着脱検知検出手段３４２から取り外し検出信号が供給されると、電源制御手段１２０からの表示部１１２及びスピーカ１１４に対する駆動電源の供給を停止させ、表示部１１２及びスピーカ１１４からなる親機出力部の作動を停止させる（D-S11，D-S14）。
【００７７】
その一方で、制御手段１１６は、電源制御手段１２０による信号処理手段１０８及び無線送受信手段１１０に対する駆動電源の供給を開始させ、信号処理手段１０８及び無線送受信手段１１０を作動状態にする。そして、制御手段１１６は、信号切替手段１０６に対し、チューナ１０２から供給される選局受信したテレビジョン放送チャンネルの映像・音声信号を信号処理手段１０８側に供給する切替指示を出力する。
【００７８】
これにより、親機１００では、チューナ１０２によって選局受信されたテレビジョン放送チャンネルの映像・音声信号が、信号切替手段１０６によって、表示部１１２及びスピーカ１１４側に代えて、信号処理手段１０８側に供給される。これにより、チューナ１０２によって選局受信されたテレビジョン放送チャンネルの映像・音声信号は、信号処理手段１０８で信号処理を施された後、無線送受信手段１１０から送信出力される。なお、本実施例では、制御手段１１６によって、無線送受信手段１１０からは、その際に状態記憶エリアに記憶されている状態情報（すなわち、この場合は作動状態Ｄ）も、この映像・音声信号の送信信号に加えられて送信される構成になっている。
【００７９】
一方、この作動状態Ｄでは、クレードル３００から取り外された子機２００では、前述したように、電源制御手段２２０を介して供給される充電池２５０からの駆動電源により、表示部２１２及びスピーカ２１４からなる子機出力部を除いた各部が一旦作動状態になり、無線送受信手段２１０を介して子機電源ＳＷオン情報を送信出力する。
【００８０】
そして、この作動状態Ｄの場合は、前述した作動状態Ｇの個別状態G-S21とは異なり、上述した当該子機２００のクレードル３００からの取り外しにより、親機１００の無線送受信手段１１０からは、選局受信したテレビジョン放送チャンネルの映像・音声信号や状態情報の送信信号が送信出力されるので、子機２００では、この一旦作動後の所定時間以内に、この親機１００からの送信信号を無線送受信手段２１０を介して受信できることになる。この結果、子機２００は、親機１００からの送信信号をこの所定時間以内に受信すると、制御手段２１６は自身をも含めた子機各部への充電池２５０からの駆動電源の供給を継続させ、さらに表示部２１２及びスピーカ２１４からなる子機出力部にも駆動電源の供給を開始し、オン状態になる（D-S13）。
【００８１】
したがって、親機１００から送信されるテレビジョン放送チャンネルの映像・音声信号の送信信号は、子機２００の無線送受信手段２１０によって受信され、信号処理手段２０８によって映像信号及び音声信号に処理復元され、表示部２１２及びスピーカ２１４に供給される。また、その際に映像・音声信号の送信信号に加えられて送信される親機１００の状態情報（すなわち、作動状態Ｄ）も、子機２００によって受信される。そして、送信された親機１００の状態情報（作動状態Ｄ）は、子機２００の制御部２１６によって子機２００の状態記憶エリアに更新記憶される。
【００８２】
これにより、可搬式の子機２００がクレードル３００に収納保持された状態で、ユーザが親機１００で所望のテレビジョン放送チャンネルを視聴している場合に、ユーザは子機２００をクレードル３００から取り外すだけで（D-S12）、親機１００で視聴していたテレビジョン放送チャンネルの映像を子機２００の表示部２１２で継続視聴できる（D-S15）。
【００８３】
さらに、本実施例の親子式テレビジョン受信機では、子機２００による継続視聴が開始された後は、親機１００は、表示部１１２及びスピーカ１１４からなる親機出力部のみを作動停止させた第１の待機状態になるので（D-S11，D-S14）、親機１００の省エネ化も自動的にはかれる。
【００８４】
また、この作動状態Ｄでは、親機１００の制御手段１１６は、ユーザにより、クレードル３００に子機２００が戻され装着されたか（D-S22）、リモコン操作器１２４のリモコン電源ＳＷ１２６がオン操作されたか（D-S24）、主電源ＳＷ１２２がオフ操作されたか（D-S25）、子機２００からのユーザによる子機電源ＳＷ２２２のオフ操作に基づき送信される子機電源ＳＷオフ情報を受信したか（D-S28）、を監視している。また、子機２００の制御手段２１６は、親機１００からの状態情報（作動状態Ｄ）の受信により、子機電源ＳＷ２２２がユーザによりオフ操作されたかを監視している（D-S28）。
【００８５】
そして、親機１００の制御手段１１６は、クレードル３００に子機２００が戻され装着されたことを（D-S22）、クレードル３００に設けられた着脱検知検出手段３４２からの装着検出信号の入力により検出した場合は、状態記憶エリアに作動状態Ｄに代えて作動状態Ａを更新記憶し、前述した作動状態Ａに対応する処理を行う。
【００８６】
この作動状態Ａは、前述したように、親機１００の主電源ＳＷ１２２がオン操作され、子機２００がクレードル３００に装着されている状態である。すなわち、主電源ＳＷ１２２のオン操作による親機１００による通常の視聴状態である。
【００８７】
このことは、親機１００で視聴していたテレビジョン放送チャンネルに関しての子機２００による継続視聴が終了し、ユーザが子機２００をクレードル３００に戻した場合は、子機２００の電源がオフされ、親機１００の表示部１１２を使用した通常のテレビジョン放送の視聴が自動的に復帰再開されることを表わしている。
【００８８】
また、親機１００の制御手段１１６は、リモコン操作器１２４のリモコン電源ＳＷ１２６がオン操作されたことを（D-S24）、リモコン信号入力Ｉ／Ｆ１１８を介してのリモコン電源オン信号の入力により検出すると、状態記憶エリアに作動状態Ｄに代えて作動状態Ｂを更新記憶し、作動状態Ｂに対応する処理を行う。
【００８９】
また、親機１００の制御手段１１６は、主電源ＳＷ１２２がオフ操作されたことを（D-S25）、例えば制御手段１１６自身に対する駆動電源の遮断に基づき検出すると、ユーザが直前まで視聴していたテレビジョン放送チャンネルの選局情報等の視聴情報を視聴情報記憶エリアに更新記憶する。そして、制御手段１１６は、状態記憶エリアに作動状態Ｄに代えて作動状態Ｈを更新記憶し、無線送受信手段１１０を介して親機１００の状態情報（すなわち、作動状態Ｈ）を子機２００へ送信出力した上で、作動状態Ｈに対応する処理を行う。主電源ＳＷ１２２のオフ操作からここまでの電源供給はバックアップ電源１２１を利用する。
【００９０】
これにより、親機１００から送信されるテレビジョン放送チャンネルの映像・音声信号の送信信号を受信している子機２００では、この親機１００からの状態情報（作動状態Ｈ）が無線送受信手段２１０を介して受信されることになる。そして、この親機１００の状態情報（作動状態Ｈ）を受信した子機２００の制御手段２１６は、状態記憶エリアに作動状態Ｈを記憶するとともに、親機１００の電源が切断された又は親機１００からの送信信号が届かない旨のエラーメッセージを表示部２１２に表示させたり、音声出力部２１４から発声させたりして出力する。その上で、子機２００の制御手段２１６は、作動状態Ｈに対応する処理を行う。したがって、子機２００の表示部を用いてテレビジョン放送を視聴している最中に、親機１００の電源が切断された場合であっても、ユーザはその状態を子機２００側で把握することができる。
【００９１】
また、親機１００の制御手段１１６は、子機２００からのユーザによる子機電源ＳＷ２２２のオフ操作に基づき送信される子機電源ＳＷオフ情報をその無線送受信手段１１０により受信すると（D-S28）、ユーザが直前まで視聴していたテレビジョン放送チャンネルの選局情報等の視聴情報を視聴情報記憶エリアに更新記憶し、状態記憶エリアに作動状態Ｄに代えて作動状態Ｅを更新記憶し、作動状態Ｅに対応する処理を行う。
【００９２】
そのために、子機２００の制御手段２１６は、その子機電源ＳＷ２２２のオフ操作されたことを、例えば制御手段２１６自身に対する駆動電源の遮断に基づき検出すると、状態記憶エリアに作動状態Ｄに代えて作動状態Ｅを更新記憶するとともに、子機電源ＳＷオフ情報を無線送受信手段２１０から送信出力する構成になっている。ここまでの処理を終えて子機２００は制御手段２１６以外の子機各部が停止した子機の待機状態となる。子機の待機状態では、制御手段２１６は低消費電力のいわゆるスリープモードとなり、子機電源ＳＷ２２２のオン操作待ちとなる。
【００９３】
したがって、ユーザは、子機２００を用いてテレビジョン放送の継続視聴中、子機２００の子機電源ＳＷ２２２のオフ操作を行えば、その継続視聴の一時中断をクレードル３００から取り外された状態で行うことができる。
【００９４】
＜作動状態Ｆ＞
作動状態Ｆは、作動状態Ａで説明した親機１００の表示部１１２を用いた視聴状態で（A-S11〜A-S15）、リモコン操作器１２４のリモコン電源ＳＷ１２６がオフ操作された場合の状態（A-S26）を示している。この作動状態Ｆは、親機１００の表示部１１２で視聴していたテレビジョン放送チャンネルを、視聴中断した状態に対応する。
【００９５】
作動状態Ｆでは、電源オン状態（A-S11）にある親機１００は、リモコン操作器１２４のリモコン電源ＳＷ１２６がオフ操作されたことを（A-S26）、リモコン信号入力Ｉ／Ｆ１１８を介しての電源オフ信号の入力により検出すると、その制御手段１１６は、作動状態Ｆに対応する処理として、次のような処理を行う。
【００９６】
親機１００の制御手段１１６は、リモコン操作器１２４からの電源オフ信号が供給されると、制御手段１１６自身及びリモコン信号入力Ｉ／Ｆ１１８以外の各部、すなわちチューナ１０２，信号切替手段１０６，信号処理手段１０８，無線送受信手段１１０，表示部１１２，及びスピーカ１１４への電源制御手段１１０からの電源供給を停止し、これらを作動停止させる（F-S11）。これにより、親機１００では、表示部２０６及びスピーカ２０８からなる親機出力部からの映像及び音声出力は停止され（F-S14）、制御手段１１６及びリモコン信号入力Ｉ／Ｆ１１８以外の親機各部が停止した、いわゆる通常のリモコンオフ状態（第３の待機状態）になる。その際には、信号処理手段１０８及び無線送受信手段１１０もその作動を停止させられる。なお、クレードル３００に設けられた充電手段３４０及び着脱検出手段３４２は、本実施例の場合は作動停止状態にはなっていない。
【００９７】
この作動状態Ｆで、ユーザがリモコン操作器１２４のリモコン電源ＳＷ１２６を再操作すれば（F-S24）、制御手段１１６は、リモコン信号入力Ｉ／Ｆ１１８を介してリモコン操作器１２４からの電源オン信号を受信する。これにより、制御手段１１６は、状態記憶エリアに作動状態Ｆに代えて作動状態Ａを更新記憶し、前述した作動状態Ａに対応する処理を行う。したがって、親機１００では、表示部１１２でリモコン操作器１２４のリモコン電源ＳＷ１２６によるオフ操作時に表示部１１２で視聴していたテレビジョン放送チャンネルの視聴が再開される。
【００９８】
また、この作動状態Ｆで、ユーザにより主電源ＳＷ１２２がオフ操作された場合は（F-S25）、親機１００の電源制御手段１２０と商用電源との間の電気的接続が遮断され、制御手段１１６及びリモコン信号入力Ｉ／Ｆ１１８も作動停止する。その際、制御手段１１６は、主電源ＳＷ１２２がオフ操作されたことを（F-S25）、例えば制御手段１１６自身に対する駆動電源の遮断に基づき検出すると、状態記憶エリアに作動状態Ｆに代えて作動状態Ｇを更新記憶し、前述した作動状態Ｇに戻る。主電源ＳＷ１２２のオフ操作からここまでの電源供給はバックアップ電源１２１を利用する。
【００９９】
また、この作動状態Ｆで、クレードル３００に装着状態になっている子機２００が（F-S12）、ユーザにより取り外されると（F-S21）、子機２００は、電源制御手段２２０を介して充電池２５０から供給される電力により、表示部２０６及びスピーカ２０８からなる子機出力部を除いた各部が一旦作動状態になる。しかし、この場合は、親機１００は信号処理手段１０８及び無線送受信手段１１０がその作動を停止しているだけなので、子機２００は、前述した作動状態Ｇにおけるクレードル３００から子機２００を取り外した状態と同一になる。そのため、この場合は、子機２００の制御手段２１６は、作動状態Ｅを状態記憶エリアに更新記憶するとともに、子機２００自身は子機電源ＳＷ２２２によらず子機２００を電源オフする（F-S21）。
【０１００】
これに対し、親機１００は、前述した作動状態Ｇとは異なり、制御手段１１６は作動状態にあるので、クレードル３００から子機２００が取り外されたことを（F-S21）、クレードル３００に設けられた着脱検知検出手段３４２からの取り外し検出信号の入力に基づき検出することが可能である。これにより、制御手段１１６は状態記憶エリアに作動状態Ｆに代えて作動状態Ｅを更新記憶し、後述する作動状態Ｅに対応する処理を行う。
【０１０１】
＜作動状態Ｅ＞
作動状態Ｅは、作動状態Ｄで説明した親機１００で視聴していたテレビジョン放送チャンネルを子機２００によって継続視聴している状態で（D-S11〜D-S15）、子機２００に備えられた子機電源ＳＷ２２２をオフ操作して視聴停止した場合の状態（D-S28）を示す。また、作動状態Ｅは、作動状態Ｆで説明した親機１００の表示部１１２で視聴していたテレビジョン放送チャンネルをユーザがリモコン操作器１２４のリモコン電源ＳＷ１２６をオフ操作してその視聴を一時中断した状態で（F-S11〜F-S15）、クレードル３００から子機２００が取り外された場合の状態（F-S21）を示している。この作動状態Ｅは、親機１００は主電源ＳＷ１２２がオン操作された状態にあるものの、親機１００又はクレードル３００から取り外された状態の子機２００のいずれによっても、現在、テレビジョン放送の視聴が行われていない状態に対応する。
【０１０２】
作動状態Ｅでは、親機１００の制御手段１１６は、作動状態Ｅに対応する処理として、次のような処理を行う。
【０１０３】
親機１００の制御手段１１６は、自身、リモコン信号入力Ｉ／Ｆ１１８及び無線送受信手段１１０以外の各部、すなわちチューナ１０２，信号切替手段１０６，信号処理手段１０８，表示部１１２，及びスピーカ１１４への電源制御手段１１０からの駆動電源の供給を停止し、これらを作動停止させる（E-S11）。これにより、親機１００は、リモコン操作器１２４及び子機２００との間の通信機能だけが作動可能な第２の待機状態になる。なお、この第２の待機状態は、前述したリモコンオフ状態（第３の待機状態）と、無線送受信手段１１０が作動停止していない点が異なる。
【０１０４】
これにより、親機１００の表示部１１２は非表示状態になっている（E-S14）。また、クレードル３００から取り外されている子機２００も、作動状態ＤのD-S28又は作動状態ＦのF-S21で説明したようにオフ状態になっているため（E-S12，E-S13）、その表示部２１２も非表示状態になっている（E-S15）。
【０１０５】
この作動状態Ｅでは、親機１００の制御手段１１６は、ユーザにより、クレードル３００に子機２００が戻され装着されたか（E-S22）、リモコン操作器１２４のリモコン電源ＳＷ１２６がオン操作されたか（E-S24）、主電源ＳＷ１２２がオフ操作されたか（E-S25）、ユーザによる子機電源ＳＷ２２２のオン操作に基づき子機２００から送信される子機電源ＳＷオン情報を受信したか（E-S27）を監視している。
【０１０６】
また、子機２００は、クレードル３００への装着待ち（E-S22）、その子機電源ＳＷ２２２のオン操作待ち状態になっている（E-S27）。その上で、子機２００は、その子機電源ＳＷ２２２がオン操作されると、前述したように、電源制御手段２２０を介して供給される充電池２５０からの駆動電源により、表示部２１２及びスピーカ２１４からなる子機出力部を除いた各部が一旦作動状態になり、無線送受信手段２１０を介して子機電源ＳＷオン情報を送信出力するようになっている。
【０１０７】
この作動状態Ｅで、親機１００の制御手段１１６は、クレードル３００に子機２００が装着されたことを（E-S22）、クレードル３００に設けられた着脱検知検出手段３４２からの装着検出信号の入力に基づき検出すると、状態記憶エリアに作動状態Ｅに代えて作動状態Ｆを更新記憶し、前述した作動状態Ｆに対応する処理を行う。すなわち、子機２００がクレードル３００に装着されたことにより、親機１００の制御手段１１６は、無線送受信手段１１０の作動を停止し、親機１００の表示部１１２で視聴していたテレビジョン放送チャンネルをリモコン操作器１２４の子機電源ＳＷ２２２によって視聴中断した、通常のリモコンオフ状態（第３の待機状態）になる。
【０１０８】
また、親機１００の制御手段１１６は、リモコン操作器１２４のリモコン電源ＳＷ１２６がオン操作されたことを（E-S24）、リモコン信号入力Ｉ／Ｆ１１８を介しての電源オン信号により検出すると、状態記憶エリアに作動状態Ｅに代えて作動状態Ｃを更新記憶し、作動状態Ｃに対応する処理を行う。
【０１０９】
また、親機１００の制御手段１１６は、主電源ＳＷ１２２がオフ操作されたことを（E-S25）、例えば制御手段１１６自身に対する駆動電源の遮断に基づき検出すると、ユーザが最新に視聴していたテレビジョン放送チャンネルの選局情報等の視聴情報を視聴情報記憶エリアに更新記憶し、状態記憶エリアに作動状態Ｅに代えて作動状態Ｉを更新記憶し、作動状態Ｉに対応する処理を行う。主電源ＳＷ１２２のオフ操作からここまでの電源供給はバックアップ電源１２１を利用する。
【０１１０】
また、親機１００の制御手段１１６は、ユーザによる子機電源ＳＷ２２２のオン操作に基づき子機２００から送信される子機電源ＳＷオン情報を受信したことが（E-S27）、無線送受信手段１１０を介して入力されると、チューナ１０２，信号切替手段１０６，及び信号処理手段１０８を作動させて、第２の待機状態を前述した第１の待機状態にするとともに、視聴情報記憶エリアに記憶された選局情報に基づく選局指示を、チューナ１０２に供給する。そして、制御手段１１６は、状態記憶エリアに作動状態Ｅに代えて作動状態Ｄを更新記憶し、前述の作動状態Ｄに対応する処理を行う。すなわち、子機２００によりテレビジョン放送の視聴している作動状態Ｄにおいて、子機２００の子機電源ＳＷ２２２をオフ操作して視聴を中断した場合であっても、子機２００の子機電源ＳＷ２２２のオン操作によって（E-S27）、子機２００による視聴を再開することができる。
【０１１１】
＜作動状態Ｉ＞
作動状態Ｉは、親機１００の主電源ＳＷ１２２がオフ操作された状態で（I-S11）、子機２００がクレードル３００から取り外されている状態で（I-S12）、かつ子機２００もオフ操作された状態を示している（I-S13）。
【０１１２】
作動状態Ｉでは、親機１００は主電源ＳＷ１２２がオフ状態になっているため、親機１００の電源制御手段１２０と商用電源との間の電気的接続は遮断された状態になっている（I-S11）。したがって、親機各部へは電源制御手段１２０を介して駆動電源が供給されず、親機出力部を構成する表示部１１２も非表示状態（非作動状態）になっている（I-S14）。また、子機２００も、クレードル３００から取り外された状態ではあっても（I-S12）、電源オフ状態になっている（I-S13）。したがって、子機各部へは電源制御手段２２０を介して充電池２５０から駆動電源が供給されず、子機出力部を構成する表示部２１２も非表示状態になっている（I-S15）。
【０１１３】
この作動状態Ｉでは、親機１００は、ユーザによる主電源ＳＷ１２２のオン操作待ち状態になっている（I-S23）。また、子機２００は、ユーザによるクレードル３００への装着待ち状態（I-S22）、又はユーザによる子機電源ＳＷ２２２のオン操作待ち状態になっている（G-S27）。
【０１１４】
この作動状態Ｉで、親機１００の主電源ＳＷ１２２がユーザによりオン操作されると（I-S23）、電源制御手段１２０と商用電源との間が接続され、電源制御手段１２０を介して親機１００の制御手段１１６へ駆動電源が供給される。親機１００の制御手段１１６は、この駆動電源の供給により、着脱検出手段３４２からの検出信号に基づき、子機２００がクレードル３００に装着されていない状態であることを確認し、さらに取り外された子機２００がオフ状態であることを確認した上で、状態記憶エリアに記憶されている作動状態Ｉに代えて作動状態Ｃを更新記憶し、作動状態Ｃに対応する処理を行う。この場合において、制御手段１１６は、子機２００の電源オフ状態を、例えば、無線送受信手段１１０を介して子機２００に状態情報の送信指示を送信し、この送信指示に対応して、所定時間経過しても、無線送受信手段１１０を介して子機２００からの状態情報が受信できないことによって判別する。なお、この確認によって、親機１００の制御手段１１６は、子機２００がクレードル３００に装着されていない状態で、さらに取り外された子機２００がオン状態であるである場合は、状態記憶エリアに記憶されている作動状態Ｉに代えて、作動状態Ｈにおいて主電源ＳＷ１２２のオン操作された場合（H-S23）の作動状態Ｄを更新記憶し、作動状態Ｄに対応する処理を行う。
【０１１５】
また、この作動状態Ｉで、子機２００がクレードル３００に装着されると（I-S22）、前述した作動状態Ｇに戻る。
【０１１６】
また、この作動状態Ｉで、ユーザによって子機２００の子機電源ＳＷ２２２のオン操作が行われ、子機２００が作動状態になると（I-S27）、子機２００は、電源制御手段２２０を介して供給される充電池２５０からの駆動電源により、表示部２１２及びスピーカ２１４からなる子機出力部を除いた各部が作動状態になり、無線送受信手段２１０を介して子機電源ＳＷオン情報を送信出力する。しかしながら、この作動状態Ｉでは、ユーザによって親機１００の主電源ＳＷ１２２はオン操作されておらず親機１００は電源オフ状態にあるので、子機２００の制御手段２１６は、親機１００の電源が入っていない旨のエラーメッセージを表示部２１２に表示させたり、音声出力部２１４から発生させたりして出力する。そして、制御手段２１６は、作動状態Ｉに代えて作動状態Ｈを状態記憶エリアに更新記憶する。なお、この場合においては、制御手段２１６は、親機１００の主電源オフ状態を、例えば、前述した一旦作動状態になって子機電源ＳＷオン情報を送信出力したのに対応して、所定時間以上、無線送受信手段２１０を介して親機１００からの送信信号が受信できないことによって判別する。また、制御手段２１６は、作動状態ＧのG-S21欄に示す場合と異なり、ユーザの子機電源ＳＷ２２２のオフ操作によらなければ制御手段２１６が電源オフせず、子機２００は作動状態のままになっている。
【０１１７】
＜作動状態Ｈ＞
作動状態Ｈは、親機１００の主電源ＳＷ１２２がオフ操作された状態で（H-S11）、子機２００がクレードル３００に装着されていない状態で（H-S12）、かつ子機２００はオン操作により電源オン状態（作動状態）になっている状態を示している（H-S13）。
【０１１８】
作動状態Ｈでは、親機１００は主電源ＳＷ１２２がオフ状態になっているため、親機１００の電源制御手段１２０と商用電源との間の電気的接続は遮断された状態になっている（H-S11）。したがって、親機各部へは電源制御手段１２０を介して駆動電源が供給されず、親機出力部を構成する表示部１１２も非表示状態（非作動状態）になっている（H-S14）。これに対して、子機２００は、クレードル３００から取り外された状態で（H-S12）、電源オン状態になっている（H-S13）。したがって、子機各部へは電源制御手段２２０を介して充電池２５０から駆動電源が供給され、子機出力部を構成する表示部２１２も作動されているが、親機１００からは映像・音声信号の送信信号が送信出力されないので、無表示状態になっている（H-S15）。
【０１１９】
この作動状態Ｈでは、親機１００は、ユーザによる主電源ＳＷ１２２のオン操作待ち状態になっている（H-S23）。また、子機２００は、ユーザによるクレードル３００への装着待ち状態（H-S22）、又はユーザによる子機電源ＳＷ２２２のオフ操作待ち状態になっている（H-S27）。
【０１２０】
この作動状態Ｈで、親機１００の主電源ＳＷ１２２がユーザによりオン操作されると（H-S23）、電源制御手段１２０と商用電源との間が接続され、親機１００の制御手段１１６へ駆動電源が供給される。親機１００の制御手段１１６は、この駆動電源の供給により、着脱検出手段３４２からの検出信号に基づき、子機２００がクレードル３００に装着されていない状態であることを確認し、さらに取り外されている子機２００がオン状態であることを確認した上で、状態記憶エリアに記憶されている作動状態Ｈに代えて作動状態Ｄを更新記憶し、作動状態Ｄに対応する処理を行う。この場合において、制御手段１１６は、子機２００の電源オン状態を、例えば、無線送受信手段１１０を介して子機２００に状態情報の送信指示を送信し、この送信指示に対応して、所定時間以内に、無線送受信手段１１０を介して子機２００からの状態情報（すなわち、作動状態Ｈ）を受信することによって判別する。なお、この確認によって、親機１００の制御手段１１６は、子機２００がクレードル３００に装着されていない状態で、さらに取り外された子機２００がオフ状態で子機２００からの状態情報（作動状態Ｈ）が受信できない場合は、状態記憶エリアに記憶されている作動状態Ｈに代えて、作動状態Ｉにおいて主電源ＳＷ１２２のオン操作された場合（I-S23）の作動状態Ｃを更新記憶し、作動状態Ｃに対応する処理を行う。
【０１２１】
また、この作動状態Ｈで、子機２００がクレードル３００に装着されると（H-S22）、子機２００は、その電源が接続され、前述した作動状態Ｇに戻る。そして、この場合、子機２００は、クレードル３００への装着によって、オフ状態になる。
【０１２２】
また、この作動状態Ｈで、ユーザによって子機２００の子機電源ＳＷ２２２のオフ操作が行われ、子機２００が非作動状態になると（H-S28）、子機２００の制御手段２１６は、子機電源ＳＷ２２２のオフ操作を例えば制御手段２１６自身に対する駆動電源の遮断に基づき検出すると、作動状態Ｈに代えて作動状態Ｉを状態記憶エリアに更新記憶する。ここまでの処理を終えて子機２００は制御手段２１６以外の子機各部が停止した子機の待機状態となる。子機の待機状態では、制御手段２１６は低消費電力のいわゆるスリープモードとなり、子機電源ＳＷ２２２のオン操作待ちとなる。
【０１２３】
＜作動状態Ｃ＞
作動状態Ｃは、作動状態Ｅで説明した、親機１００は主電源ＳＷ１２２がオン操作された状態にあるものの、親機１００又はクレードル３００から取り外された状態の子機２００のいずれによっても、現在、テレビジョン放送の視聴が行われていない状態で（E-S11〜E-S15）、リモコン操作器１２４のリモコン電源ＳＷ１２６がオン操作された場合の状態（E-S24）を示している。また、作動状態Ｃは、作動状態Ｉで説明した、親機１００がオフ状態で、子機２００がクレードル３００から取り外されているオフ状態で（I-S11〜I-S15）、親機１００の主電源ＳＷ１２２がオン操作された場合の状態（E-S24）も示している。この作動状態Ｃは、子機２００がクレードル３００から取り外されているオフ状態で、ユーザが親機１００の表示部１１２を使用してテレビジョン放送の視聴を視聴しようとした場合に対応する。
【０１２４】
作動状態Ｃでは、リモコン操作器１２４のリモコン電源ＳＷ１２６のオン操作、又は主電源ＳＷ１２２のオン操作によって電源オン状態になった親機１００の制御手段１１６は、作動状態Ｃに対応する処理として次のような処理を行う。
【０１２５】
制御手段１１６は、チューナ１０２から供給される選局受信したテレビジョン放送チャンネルの映像・音声信号を親機出力部としての表示部１１２及びスピーカ１１４側に供給する切替指示を、信号切替手段１０６に供給する。また、制御手段１１６は、子機２００がクレードル３００に取り外されたオフ状態になっているので、信号処理手段１０８及び無線送受信手段１１０に対してその作動停止指示を供給する。そして、制御手段１１６が、視聴情報記憶エリアに記憶された選局情報に基づく選局指示を、チューナ１０２に供給する。
【０１２６】
この結果、親機１００では、前回、ユーザが主電源ＳＷ１２２のオフ操作を行った際に選局指示していたテレビジョン放送チャンネルがチューナ１０２によって選局受信され、その映像が表示状態（作動状態）になっている表示部１１２に表示される（C-S14）。
【０１２７】
これにより、子機２００がクレードル３００から取り外されている状態であっても（C-S12）、子機２００が非作動状態（非視聴状態）であれば（C-S13，C-S15）、ユーザがリモコン電源ＳＷ１２６又は主電源ＳＷ１２２により親機１００のオン操作を行った場合は、ユーザは親機１００の表示部１１２を使用した通常のテレビジョン放送の視聴が行える（C-S14）。
【０１２８】
そして、親機１００の制御手段１１６は、この作動状態Ｃで、ユーザによって子機２００がクレードル３００から装着されたか（C-S22）、主電源ＳＷ１２２がオフ操作されたか（C-S25）、リモコン操作器１２４のリモコン電源ＳＷ１２６がオフ操作されたか（C-S26）、子機２００がオン状態になったか（C-S27）、を監視している。
【０１２９】
この作動状態Ｃで、制御手段１１６は、子機２００がクレードル３００から装着されたことを（C-S22）、着脱検知手段３４２によって検出すると、状態記憶エリアに作動状態Ｃに代えて作動状態Ａを更新記憶し、前述した作動状態Ａに対応する処理を行う。
【０１３０】
また、作動状態Ｃで、制御手段１１６は、主電源ＳＷ１２２がオフ操作されたことを（C-S25）、例えば制御手段１１６自身に対する駆動電源の遮断に基づき検出すると、状態記憶エリアに作動状態Ｃに代えて作動状態Ｉを更新記憶し、前述した作動状態Ｉに対応する処理を行う。主電源ＳＷ１２２のオフ操作からここまでの電源供給はバックアップ電源１２１を利用する。
【０１３１】
また、作動状態Ｃで、制御手段１１６は、リモコン操作器１２４のリモコン電源ＳＷ１２６がオフ操作されたことを（C-S26）、リモコン信号入力Ｉ／Ｆ１１８を介しての電源オフ信号入力により検出すると、状態記憶エリアに作動状態Ｃに代えて作動状態Ｅを更新記憶し、前述した作動状態Ｅに対応する処理を行う。
【０１３２】
また、作動状態Ｃで、制御手段１１６は、子機２００がオン状態になったことを（C-S27）、ユーザによる子機電源ＳＷ２２２のオン操作に基づき子機２００から送信される子機電源ＳＷオン情報の受信により検出すると、状態記憶エリアに作動状態Ｃに代えて作動状態Ｂを更新記憶し、この作動状態Ｂに対応する処理を行う。
【０１３３】
＜作動状態Ｂ＞
作動状態Ｂは、作動状態Ｄで説明した子機２００によって親機１００で視聴していたテレビジョン放送チャンネルを継続視聴している状態で（D-S11〜D-S15）、リモコン操作器１２４のリモコン電源ＳＷ１２６がオン操作された場合の状態（D-S24）を示している。また、作動状態Ｂは、作動状態Ｃで説明した親機１００の表示部１１２を用いて視聴を行っている場合に、クレードル３００から取り外されてオフ状態になっている子機２００の子機電源ＳＷ２２２をオン操作した場合の状態（C-S27）にも対応している。この作動状態Ｂは、親機１００又は子機２００のいずれか一方でテレビジョン放送を視聴している場合に、現在視聴に用いていない親機１００又は子機２００のいずれか他方で視聴操作の開始操作を行った状態に対応する。
【０１３４】
作動状態Ｂでは、表示部２１２及びスピーカ２１４からなる親機出力部のみを作動停止させた第１の待機状態にある親機１００は、リモコン操作器１２４のリモコン電源ＳＷ１２６がオン操作されたことを（D-S24）、リモコン信号入力Ｉ／Ｆ１１８を介しての電源オン信号の入力により検出した場合は、その制御手段１１６は、作動状態Ｂに対応する処理として、次のような処理を行う。
【０１３５】
制御手段１１６は、表示部１１２及びスピーカ１１４に対しての電源制御手段１２０からの駆動電源の供給を行うとともに、信号切替手段１０６に対し、信号処理手段１０８に加えて、テレビジョン放送チャンネルの映像信号及び音声信号を表示部１１２及びスピーカ１１４にも供給する指示を供給する。これにより、親機１００では、表示部１１２及びスピーカ１１４からも子機２００で視聴しているテレビジョン放送チャンネルの映像及び音声が出力される（B-S14）。
【０１３６】
これにより、ユーザが子機２００によってテレビジョン放送を視聴（継続視聴）している場合であっても、別のユーザは親機１００における第１の待機状態を解除して表示部１１２及びスピーカ１１４を作動させることにより、親機１００と子機２００との両方で同じテレビジョン放送チャンネルの映像及び音声を視聴することができる。
【０１３７】
また、作動状態Ｂでは、信号処理手段１０８及び無線送受信手段１１０を作動停止させて表示部２１２及びスピーカ２１４からテレビジョン放送チャンネルの映像及び音声を出力している親機１００は、クレードル３００から取り外されてオフ状態になっている子機２００の子機電源ＳＷ２２２をオン操作されたことを（C-S27）、子機２００から送信される子機電源ＳＷオン情報の受信により検出した場合は、その制御手段１１６は、作動状態Ｂに対応する処理として、次のような処理を行う。
【０１３８】
制御手段１１６は、信号処理手段１０８及び無線送受信手段１１０に対しての電源制御手段１２０からの駆動電源の供給を行うとともに、信号切替手段１０６に対し、表示部１１２及びスピーカ１１４に加えて、テレビジョン放送チャンネルの映像・音声信号を信号処理手段１０８にも供給する指示を供給する。この結果、親機１００では、信号処理手段１０８を介して無線送受信手段１１０からも親機２００で視聴中のテレビジョン放送チャンネルの映像・音声信号の送信信号が出力される。
【０１３９】
これにより、ユーザが親機１００によってテレビジョン放送を視聴（通常視聴）している場合であっても、別のユーザは、クレードル３００から取り外され、オフ状態になっている子機２００を作動させることにより、親機１００と子機２００との両方で同じテレビジョン放送チャンネルの映像及び音声を視聴することができる。
【０１４０】
また、この作動状態Ｂでは、親機１００の制御手段１１６は、ユーザにより、クレードル３００に子機２００が戻され装着されたか（B-S22）、主電源ＳＷ１２２がオフ操作されたか（B-S25）、リモコン操作器１２４のリモコン電源ＳＷ１２６がオフ操作されたか（B-S26）、子機２００からのユーザによる子機電源ＳＷ２２２のオフ操作に基づき送信される子機電源ＳＷオフ情報を受信したか（B-S28）、を監視している。
【０１４１】
そして、親機１００の制御手段１１６は、クレードル３００に子機２００が戻され装着されたことを（B-S22）、クレードル３００に設けられた着脱検知検出手段３４２からの装着検出信号の入力に基づき検出すると、状態記憶エリアに作動状態Ｂに代えて作動状態Ａを更新記憶し、前述した作動状態Ａに対応する処理を行う。このことは、前述した主電源ＳＷ１２２のオン操作による親機１００による通常の視聴状態に戻ることを表わしている。
【０１４２】
また、親機１００の制御手段１１６は、主電源ＳＷ１２２がオフ操作されたことを（B-S25）、例えば制御手段１１６自身に対する駆動電源の遮断に基づき検出すると、ユーザが直前まで視聴していたテレビジョン放送チャンネルの選局情報等の視聴情報を視聴情報記憶エリアに更新記憶する。そして、制御手段１１６は、状態記憶エリアに作動状態Ｂに代えて作動状態Ｈを更新記憶し、無線送受信手段１１０を介して親機１００の状態情報（すなわち、作動状態Ｈ）を送信出力する。主電源ＳＷ１２２のオフ操作からここまでの電源供給はバックアップ電源１２１を利用する。これにより、親機１００から送信されるテレビジョン放送チャンネルの映像・音声信号の送信信号を受信している子機２００では、この親機１００からの状態情報（作動状態Ｈ）が無線送受信手段２１０を介して受信されることになる。そして、この親機１００の作動状態Ｈを受信した子機２００の制御手段２１６は、状態記憶エリアに作動状態Ｈを記憶するとともに、親機１００の電源が切断された又は親機１００からの送信信号が届かない旨のエラーメッセージを表示部２１２に表示さたり、音声出力部２１４から発生させたりして出力する。
【０１４３】
また、親機１００の制御手段１１６は、リモコン操作器１２４のリモコン電源ＳＷ１２６がオフ操作されたことを（B-S26）、リモコン信号入力Ｉ／Ｆ１１８を介しての電源オフ信号の入力により検出すると、状態記憶エリアに作動状態Ｂに代えて作動状態Ｄを更新記憶し、作動状態Ｄに対応する処理を行う。なお、この作動状態Ｄは、前述したように、表示部２１２及びスピーカ２１４からなる親機出力部のみを作動停止させた第１の待機状態である。すなわち、親機１００と子機２００との両方で同じテレビジョン放送チャンネルの映像及び音声を視聴している状態で、リモコン操作器１２４のリモコン電源ＳＷ１２６がオフ操作すれば、親機１００は、元の子機２００によってテレビジョン放送を視聴していた作動状態Ｄの第１の待機状態に戻り、子機２００によるテレビジョン放送の視聴がその後も継続可能になる。
【０１４４】
また、親機１００の制御手段１１６は、子機２００からユーザによる子機電源ＳＷ２２２のオフ操作に基づき送信される子機電源ＳＷオフ情報をその無線送受信手段１１０により受信すると（B-S28）、状態記憶エリアに作動状態Ｂに代えて作動状態Ｃを更新記憶し、作動状態Ｃに対応する処理を行う。ここまでの処理を終えて子機２００は制御手段２１６以外の子機各部が停止した子機の待機状態となる。子機の待機状態では、制御手段２１６は低消費電力のいわゆるスリープモードとなり、子機電源ＳＷ２２２のオン操作待ちとなる。このことは、親機１００で視聴していた所望のテレビジョン放送チャンネルに関しての子機２００による継続視聴が終了し、親機１００の表示部１１２を使用したテレビジョン放送の視聴が継続されることを表わしている。
【０１４５】
＜視聴作用＞
次に、上述したような視聴制御構成を備えた本実施例の親子式テレビジョン受信機を用いたテレビジョン放送の視聴について説明する。
【０１４６】
子機２００がクレードル３００に装着された状態で、親機１００が電源オフ状態にある親機１００及び子機２００の非使用時の通常状態、すなわち図４の作動状態Ｇにある場合、ユーザは親機１００の主電源ＳＷ１２２をオン操作すれば、作動状態Ａで示した親機１００の表示部１１２及びスピーカ１１４を用いた通常のテレビジョン放送の視聴が行える。この親機１００の表示部１１２及びスピーカ１１４を用いた通常のテレビジョン放送の視聴を行っている場合は、親機１００における子機２００との通信を行うための信号処理手段１０８及び無線送受信手段１１０は、子機２００がクレードル３００に装着されて作動停止状態（オフ充電状態）になっているので、作動停止しており、消費電力の節減がはかれるようになっている。
【０１４７】
このような親機１００の表示部を用いた通常のテレビジョン放送の視聴中に、ユーザが親機１００が置かれた場所から親機１００の表示部１１２を視認することができない場所に移動しなければならない場合は、クレードル３００から子機２００を取り外して移動先に携行するだけで、直前まで親機１００の表示部１１２及びスピーカ１１４を用いて視聴していたテレビジョン放送チャンネルを、作動状態Ｄで説明したように、子機２００の起動操作なくして継続して移動先で視聴することができる。その際には、視聴に使用されなくなる親機１００は、その表示部１１２及びスピーカ１１４が自動的に作動停止されるので、消費電力の節減がはかれるようになっている。
【０１４８】
また、ユーザが移動先で子機２００を用いた上記テレビジョン放送の継続視聴を子機２００の子機電源ＳＷ２２２をオフ操作して停止しても、作動状態Ｅで説明したように、親機１００は無線送受信手段１１０が機能し続けているので、子機２００の子機電源ＳＷ２２２をオン操作すれば、子機２００による視聴を再開できる。
【０１４９】
また、このように子機２００がクレードル３００から取り外された視聴停止状態（オフ状態）で、ユーザにより親機１００の視聴操作が行われた場合には、作動状態Ｃで説明したように、親機１００の表示部１１２及びスピーカ１１４を用いたテレビジョン放送の視聴が行えるので、子機２００を移動先に置いてきた場合であっても、親機１００の表示部１１２を用いたテレビジョン放送の視聴に支障を与えるものではない。
【０１５０】
そして、本実施例の親子式テレビジョン受信機では、例えば子機２００を用いて視聴していたユーザと親機１００を用いて視聴するユーザとが異なり、一方のユーザが親機１００又は子機２００のいずれか一方でテレビジョン放送を視聴している場合に、他方のユーザが現在視聴に用いていない親機１００又は子機２００のいずれか他方で視聴開始の操作を行った場合には、作動状態Ｂで説明したように、親機１００と子機２００とで同時に別々の場所で同じテレビジョン放送の視聴も行える。
【０１５１】
また、子機２００を用いたテレビジョン放送の視聴中、誤って親機１００の主電源がオフされた場合であっても、作動状態Ｄ及びＢで説明したように、子機２００でその旨が報知されるので、子機２００を用いて視聴していたユーザは容易にその異常を感得することができる。
【０１５２】
さらに、親機１００は上述したように、その作動状態に応じて、作動状態Ｄに対応する第１の待機状態、作動状態Ｅに対応する第２の待機状態、及び作動状態Ｆに対応する第３の待機状態といった複数の待機状態を備え、各待機状態に応じて親機各部の作動を制御できるので、その消費電力の節減も作動状態に応じて効率的に行える。
【０１５３】
なお、上記説明では、テレビジョン放送の視聴の場合を例に、親機１００と子機２００による視聴切替について説明したが、外部機器信号入力Ｉ／Ｆ１０４に入力される映像・音声信号の再生がリモコン操作器１２４で入力メディア選択ＳＷ１３０操作によって設定されている場合は、制御手段１１６は、チューナ１０２に代えて外部機器信号入力Ｉ／Ｆ１０４に対する親機１００と子機２００との間の視聴切替について同様な作動制御を行う構成になっている。
【０１５４】
以上のように、本実施の形態の親子式ＡＶ装置、親機、子機、及び子機収納装置の一実施例としての親子式テレビジョン受信機、親機１００、子機２００、及び子機収納装置３００は構成されるが、その具体的な構成は、上記説明した具体的な構成以外に、種々の変形例が可能である。例えば、子機収納装置３００は、親機１００の筐体に一体的に構成されていてもよいし、親機１００の筐体とは別体に構成され、さらに親機１００から電源の供給を受けるのではなく、親機１００と独立に電源に対して接続される構成であってもよい。
【０１５５】
この場合、本実施例の親機１００とクレードル３００との間は有線で接続し、着脱検出手段３４２からの取り外し／装着検出信号の送受を行う構成としたが、親機１００とクレードル２００との間も、親機１００と子機２００との間と同様に無線で信号の送受を行う構成としてもよい。このような構成を採用することにより、クレードル２００は、親機１００の設置場所とは別の場所（例えば、予め予想される移動先等）に設置することができ、ひいては子機２００も移動先に配置しておくことができるので、移動先への子機２００の携行をしなくても済む。
【０１５６】
また、上述の説明では、親機１００又は子機２００のいずれか一方でテレビジョン放送を視聴している場合に、他方のユーザが現在視聴に用いていない、親機１００又は子機収納装置３００から取り外し状態にある子機２００のいずれか他方で視聴操作の開始操作を行った場合には、親機１００及び子機２００の両方で同時視聴できる構成としたが、親機１００又は子機２００のいずれか一方でテレビジョン放送を視聴している場合に、後から視聴開始の操作を行った親機１００又は子機２００の他方の機器は視聴できないように排他的に構成してもよい。
【０１５７】
また、本実施例の子機２００では、子機側では選局操作を行えない構成となっているが、例えばリモコン操作器１２４と同様に、選局ＳＷ（チャンネルキー）を設け、子機２００の電源オン状態でこの選局ＳＷ（チャンネルキー）が操作された場合は、子機２００の無線送受信手段２１０から親機１００へ選局ＳＷ操作信号を状態信号の場合と同様にして送信する構成とし、親機１００側のチューナ１０２の選局変更が行える構成としてもよい。
【０１５８】
さらに、本実施例では、親機１００のリモコン操作器１２４と子機２００とは別体の構成としたが、例えば、子機２００に、リモコン操作器１２４に設けられている各種キーと、子機２００をリモコン操作器として機能させるか又は親機１００に対するモニタ装置としての子テレビジョン装置として機能させるかを切替設定するリモコン／モニタ切替ＳＷ（スイッチ）とを設け、子機２００に親機１００のリモコン操作器１２４としての機能を併せ備えた構成にすることも可能である。この場合、リモコン／モニタ切替ＳＷ（スイッチ）によって子機２００がリモコン操作器として切替設定されている場合は、子機２００をクレードル３００から取り外した場合はその制御手段２１６はリモコン操作器として作動させ、子機２００がモニタ装置として切替設定されている場合は、子機２００をクレードル３００から取り外した場合に、制御手段２１６は前述した作動状態Ｄに対応する処理を行う構成になっている。
【０１５９】
また、子機２００は、親機１００との近距離通無線交信機能を備えた携帯電話装置で構成してもよい。この場合、例えば、子機２００としての携帯電話装置をクレードルに装着した場合に当該携帯電話装置を親機１００に対するモニタ装置としての子テレビジョン装置として機能させる切替設定を行い、着信応答のために携帯電話装置をクレードル３００から取り外した場合を除いて、携帯電話装置をクレードル３００から取り外した場合はモニタ装置として機能させる構成とし、逆にクレードル３００から取り外して親機１００からの送信信号の受信によるテレビジョン放送の視聴中であっても、携帯電話装置としての着信及び発信機能は親機１００に対する子機２００としての機能に優先するように構成しておけばよい。
【０１６０】
また、これら実施例では、クレードル３００に子機２００の着脱検出手段３４２が設けられている構成としたが、子機２００側にクレードル３００に対する着脱検出手段３４２を設け、子機２００がクレードル３００から取り外された又はクレードル３００に装着された場合には、子機２００の無線送受信手段２１０から送信出力させることも可能である。
【０１６１】
さらに、本実施の形態の親子式ＡＶ装置、親機、子機、及び子機収納装置の一実施例としての親子式テレビジョン受信機、親機１００、子機２００、及び子機収納装置３００では、親機１００による視聴中、子機２００を子機収納装置３００から取り外した場合は、親機１００による視聴が停止するように構成したが、親機１００及び子機２００の両方で視聴できるように構成してもよい。さらに、親機１００又は子機２００のいずれかで、親機１００による視聴中、子機２００を子機収納装置３００から取り外した場合は、親機１００による視聴を停止させるか又は継続させるかを、予め選択設定可能な構成としておくこともできる。
【０１６２】
［第２の実施の形態］
図５は、本発明の別の実施の形態による親子式ＡＶ装置におけるクレードルの一実施例の構成図である。
【０１６３】
なお、第２の実施の形態において、第１の実施の形態で説明した親子式ＡＶ装置１の一実施例としての親子式テレビジョン受信機の構成部分と同一又は同様な構成部分については、符号の下２桁について同一の番号を付し、当該構成部分についての詳細な説明は省略する。
【０１６４】
本実施の形態よる親子式ＡＶ装置１において、子機収納装置としてのクレードル３００は、外部機器信号入力Ｉ／Ｆ３０４，信号切替手段３０６，信号処理手段３０８，無線送受信手段３１０，制御手段３１６，電源制御手段３２０，着脱検出手段３４２，充電手段３４０，及び外部機器信号出力Ｉ／Ｆ３４４を有する。
【０１６５】
外部機器信号入力Ｉ／Ｆ３０４は、チューナ，ＤＶＤ再生機等といった外部メディア機器からの映像信号，音声信号，又は映像・音声信号が入力される。なお、図５では、クレードル３００では、複数の外部機器信号入力Ｉ／Ｆ３０４を備え、チューナ，ＤＶＤ再生機等といった外部メディア機器がそれぞれ接続される。外部機器信号入力Ｉ／Ｆ３０４は、後述の入力切替ＳＷ（スイッチ）３４６の設定操作により選択された一方の外部機器信号入力Ｉ／Ｆ３０４からだけ、その接続された外部メディア機器から供給される映像信号，音声信号，又は映像・音声信号を、信号切替手段３０６に供給する構成になっている。
【０１６６】
信号処理手段３０８は、例えば映像信号をＭＰＥＧ方式で画像圧縮する等して、信号切替手段３０６から供給された映像信号，音声信号，又は映像・音声信号に無線通信のために適した信号処理を施して映像信号，音声信号，又は映像・音声信号の送信データを生成し、無線送受信手段３１０に供給する。
【０１６７】
無線送受信手段３１０は、信号処理手段３０８から供給される映像信号，音声信号，又は映像・音声信号の送信データや後述する制御手段３１６により管理される親機１００の状態情報の送信データを、例えばＩＥＥＥ８０２．１１ａ、８０２．１１ｂ、８０２．１１ｇ、ブルートゥース、ＵＷＢ（Ultra Wide Band）等といった所定の近距離無線通信規格により、無線送信出力する。また、無線送受信手段３１０は、所定の近距離無線通信規格によって子機２００から発信された子機２００の状態情報の送信データを受信し、制御手段３１６に供給する。
【０１６８】
入力切替ＳＷ３４６は、ユーザが信号切替部３０６に情報信号（上述した映像信号，音声信号，又は映像・音声信号が該当）を供給する情報生成手段としての外部機器信号出力Ｉ／Ｆ３４４を選択設定する操作片である。外部機器信号出力Ｉ／Ｆ３４４は、例えばチューナ，ＤＶＤ等の供給側外部機器から供給された映像・音声信号を、親機１００としての出力機器、例えば外部テレビ１００に出力する。制御手段１１６は、クレードル３００から供給される子機着脱検出信号に基づいて、上述したクレードル各部の作動を、図４で説明した親機１００の場合と同様にして制御する。
【０１６９】
以上のように構成された子機収納装置としてのクレードル３００によれば、外部機器信号入力Ｉ／Ｆ３０４にチューナ，ＤＶＤ等といった外部メディア機器を接続し、外部機器信号出力Ｉ／Ｆ３４４に親機１００を構成する外部テレビ１００’を接続するだけで、外部テレビ１００及び子機２００を親子式テレビジョン受信機、すなわち親子式ＡＶ装置１として機能させることができる。
【０１７０】
すなわち、子機２００がクレードル３００に装着された状態では、図４により説明した作業状態Ａに対応する処理と同様にして、親機１００としての外部テレビ１００’の表示部を用いた通常のテレビジョン放送の視聴が行える。また、この状態においては、クレードル３００における子機２００との通信を行うための信号処理手段３０８及び無線送受信手段３１０は、子機２００がクレードル３００に装着されている間は作動停止状態（オフ充電状態）になっているので、消費電力の節減がはかれるようになっている。
【０１７１】
このような親機１００としての外部テレビ１００’を用いた、外部メディア映像の視聴中に、ユーザが外部テレビ１００’が置かれた場所から外部テレビ１００’の表示部を視認することができない場所に移動しなければならない場合は、クレードル３００から子機２００を取り外して移動先に携行するだけで、直前まで親機１００としての外部テレビ１００’を用いて視聴していた外部メディア映像を、作動状態Ｄに対応する処理と同様にして、子機２００の特別な起動操作を必要なくして継続して移動先で視聴することができる。
【０１７２】
また、ユーザが移動先で子機２００を用いた上記外部メディア映像の継続視聴を子機２００の子機電源ＳＷ２２２をオフ操作して停止しても、作動状態Ｅに対応する処理と同様にして、クレードル３００は無線送受信手段３１０が機能し続けているので、子機２００の子機電源ＳＷ２２２をオン操作すれば、子機２００による視聴を再開できる。
【０１７３】
そして、本実施例の親子式テレビジョン受信機では、例えば子機２００を用いて視聴していたユーザと、親機１００の外部テレビ１００’を用いて視聴するユーザとが異なり、一方のユーザが親機１００又は子機２００のいずれか一方で外部メディア映像を視聴している場合に、他方のユーザが現在視聴に用いていない親機１００又は子機２００のいずれか他方で視聴開始の操作を行った場合には、作動状態Ｂに対応する処理と同様にして、親機１００と子機２００とで同時に別々の場所で同じ外部メディア映像の視聴も行える。
【０１７４】
なお、本実施例の親子式テレビジョン受信機は、以上説明したとおりであるが、その具体的構成については、種々の変形例が可能である。
【０１７５】
例えば、上述した子機収納装置としてのクレードル３００の実施例では、クレードル３００と親機１００としての外部テレビ１００’との間は、外部機器信号出力Ｉ／Ｆ３４４を介して映像・音声信号の送信のみを行うように構成としたが、予め制御手段３１０のメモリ内に外部テレビ１００’のリモコン電源オン／オフ等のリモコンコードをテーブルとして格納しておき、クレードル３００側で親機１００としての外部テレビ１００’の作動制御することも可能である。この場合、親機１００としての外部テレビ１００’による外部メディア映像の視聴中に子機２００がクレードル３００から取り外されて外部メディア映像の継続視聴を開始する際には、クレードル３００からリモコン電源オフのリモコンコードを外部テレビ１００’に供給し、子機２００がクレードル３００に装着されて子機２００による外部メディア映像の継続視聴が終了する際には、リモコン電源オンのリモコンコードを外部テレビ１００’に供給する。これにより、子機２００による外部メディア映像の視聴中は、外部テレビ１００’を待機状態（リモコン電源オフ状態）にすることができるので、消費電力の節減がさらにはかれる。
【０１７６】
また、本実施の形態の親子式ＡＶ装置１は、いずれか一方を親機１００として固定的に配置し、いずれか他方を親機１００に対する子機２００として可搬に配置する構成としたが、親機１００及び子機２００いずれも可搬に配置する構成をとしてもよい。例えば、親機１００をテレビジョン受信機能又は外部機器信号入力Ｉ／Ｆを備えたモバイル機器（テレビジョン受信機能付携帯電話装置をも含む）で構成し、子機２００を親機１００とは別のモバイル機器（携帯電話装置をも含む）とそのクレードルによって構成してもよい。また、親機１００をモバイル機器（携帯電話装置をも含む）とそのテレビジョン受信機能又は外部機器信号入力Ｉ／Ｆを備えたクレードルで構成し、子機２００を親機１００とは別のモバイル機器とそのクレードルによって構成してもよい。これらの場合も、上記説明した実施の形態の場合と同様に、親機１００側のモバイル機器で視聴していた映像を、子機側のモバイル機器をそのクレードルから取り外すことによって子機側のモバイル機器で継続視聴させることができる。この場合、親機１００のモバイル機器のクレードルと子機２００のモバイル機器のクレードルとは、一体又は別体に拘わらないばかりか、共通であってもよい。
【０１７７】
［第３の実施の形態］
図６は、本発明のさらに別の実施の形態による親子式ＡＶ装置の構成図である。
【０１７８】
本発明の一実施の形態による親子式ＡＶ装置１は、親機１００”と、子機２００”と、子機２００”を着脱可能に収納保持する子機収納装置としてのクレードル３００”とを備えて構成されている。なお、説明簡便のため、本実施の形態の親子式ＡＶ装置１の説明にあたっては、前述した第１の実施の形態の説明でも用いた、親子式テレビジョン受信機を例に説明する。
【０１７９】
したがって、本実施の形態の親機１００”は、図２に示した第１の実施の形態の親機１００に対して、クレードル３００に子機２００のクレードル３００に対する着脱を検出する着脱検出手段３４２が備えられていないことを除き同様な構成からなるので、その構成については同一符号を付して、詳細な説明は省略する。
【０１８０】
図７は、本実施の形態による親子式ＡＶ装置に適用される子機の構成図である。
【０１８１】
本実施の形態の親子式ＡＶ装置に適用される子機２００”の構成も、図３に示した第１の実施の形態の親子式ＡＶ装置に適用された子機２００と同様なので、同一符号を付してその構成の説明は省略する。
【０１８２】
このような構成からなる本実施の形態の親子式ＡＶ装置１は、クレードル３００”に着脱検出手段３４２を設ける代わりに、子機２００”に所定の操作指示スイッチを設けて、この操作指示スイッチのユーザ操作に応じて、親機１００”側の出力機器１１２，１１４で視聴していた映像を、子機２００”側の出力機器２１２，２１４で継続視聴できるようになっている。そして、本実施の形態においては、上述した所定の操作指示スイッチとして、子機２００”の子機電源ＳＷ２２２が兼用されている。
【０１８３】
本実施の形態の親子式ＡＶ装置１では、親機１００”は、子機２００”側の子機電源ＳＷ２２２の電源オン操作により、子機２００”が継続視聴の開始のためにクレードル３００から取り外されたものとみなし、子機電源ＳＷ２２２の電源オフ操作により、子機２００”が継続視聴の終了によってクレードル３００に戻されたものとみなして、取り扱うようになっている。
【０１８４】
図８は、図６及び図７に示した親機１００”及び子機２００”の状態遷移表である。
【０１８５】
親子式テレビジョン受信機における親機１００”の制御手段１１６，子機２００”の制御手段２１６は、図８に示した状態遷移表にしたがって、その視聴制御を行う。
【０１８６】
図８において、表中の符号Ａ〜Ｈは、親機１００”及び子機２００”の状態記憶エリアに記憶される親機１００”及び子機２００”の作動状態（作動状態の種別）を示したものである。また、図８において、表中の符号Ｓ１１〜Ｓ１５は、各作動状態Ａ〜Ｈにおける親機１００”及び子機２００”の個別状態を示し、同じく符号Ｓ２１〜Ｓ２８は、各作動状態Ａ〜Ｈにおいて親機１００”及び子機２００”が監視する個別状態を示す。そして、表中の作動状態Ａ〜Ｈと状態項目Ｓ１１〜Ｓ１５とのマトリックスで規定される各欄A-S11〜H-S15は、その作動状態Ａ〜Ｈにおける親機１００”又は子機２００”の個別状態内容を表わし、作動状態Ａ〜Ｈと状態項目Ｓ２１〜Ｓ２８とのマトリックスで規定される各欄A-S21〜H-S28は、その作動状態Ａ〜Ｈにおける親機１００”又は子機２００”の作動状態Ａ〜Ｈの遷移先を表わす。
【０１８７】
また、親機１００”及び子機２００”は、図８に示した状態遷移表にしたがってその視聴制御を行うに当たり、親機１００”が自身の状態記憶エリアに記憶している作業状態の記憶と、子機２００”が自身の状態記憶エリアに記憶している作業状態の記憶との間で、両作業状態の同期調整を行うために、子機状態確認処理と親機状態確認処理とを備えている。
【０１８８】
子機状態確認処理は、親機１００”の制御手段１１６に備えられ、子機２００”に対して親機１００”が後から電源オン状態になった場合に、親機１００”の状態記憶エリアに記憶されている作動状態、すなわち後述する親子式テレビジョン受信機における親機１００”及び子機２００”が共に電源オフの作業状態Ｇ（親子式テレビジョン受信機の非作動状態）等において、親機１００”がその状態記憶エリアに記憶されている作業状態に対応した電源オン状態についての制御作動を実行するに際して、子機２００”が親機１００”に対して先に電源オン状態になっていること等に起因して、実際の作業状態が状態記憶エリアに記憶されている作業状態と異なってしまっているか否かを確認するための処理である。
【０１８９】
そのため、親機１００”は、その主電源ＳＷ１２２がユーザによりオン操作されると、この主電源ＳＷ１２２のオン操作に基づく状態記憶エリアに記憶されている作動状態（例えば作動状態Ｇ）に応じた制御作動を実行する前に、子機２００”の状態記憶エリアに記憶されている作業状態の読み出し要求信号を、無線送受信手段１１０から子機２００”に向けて送信する構成になっている。親機１００”は、この作業状態の読み出し要求信号に呼応して、先に電源オン状態になっている子機２００”から子機２００”自身の状態記憶エリアに記憶されている作動状態（例えば作動状態Ｈ）の返信を受信した場合には、親機１００”自身の状態記憶エリアの作動状態（例えば作動状態Ｇ）をこの受信した作動状態（例えば作動状態Ｇ）に更新してから、更新した作動状態（例えば作動状態Ｇ）に応じた主電源ＳＷ１２２のオン操作に基づく制御作動を実行する。
【０１９０】
これに対して、親機状態確認処理は、子機２００”の制御手段２１６に備えられ、子機２００”が親機１００”よりも先に電源オン状態になった場合に、上述した親機１００”による子機状態確認処理に対応して、電源オフ状態で子機２００”からの信号受信ができない親機１００”に代わって、子機２００”自身が親機１００”からの作業状態更新信号の供給によらずに、変化した作業状態を子機２００”自身の状態記憶エリアに更新記憶できるようになっている。
【０１９１】
通常、子機２００”は、その子機電源ＳＷ２２２がユーザによりオン操作又はオフ操作されると、無線送受信手段２１０から親機１００”に向けて、クレードル３００に対する子機２００”の取り外し検出に相当するオン操作検出信号、又はクレードル３００に対する子機２００”の装着に相当するオフ操作検出信号を送信する。そして、親機１００”は、自身が電源オン状態になっている場合は、このオン操作検出信号又はオフ操作検出信号を無線送受信手段１１０を介して受信すると、親機１００”自身の状態記憶エリアに記憶されている作動状態に応じた制御作動を実行するとともに、その制御作動に対応する作動状態を状態記憶エリアに記憶する。これとともに、親機１００”は、この更新した作動状態に対応した作動状態更新信号を、無線送受信手段１１０から子機２００”に対して送信する構成になっている。これにより、子機２００”は、無線送受信手段２１０を介してこの親機１００”からの作動状態更新信号を受信可能な場合は、子機２００”自身の状態記憶エリアに記憶されている作動状態を親機１００”からの作動状態更新信号による作動状態に更新記憶し、両者の状態記憶エリアに記憶される作業状態の同期をとる構成になっている。
【０１９２】
しかしながら、例えば、その子機電源ＳＷ２２２がユーザによりオン操作又はオフ操作された場合に、親機１００”が電源ＯＮすなわち主電源ＳＷ１２２がオン操作されていない場合には、上述した子機２００”から送信されるオン操作検出信号又はオフ操作検出信号を受信できないので、親機１００”自身の状態記憶エリアに記憶されている作動状態をこれら受信信号に基づいて更新することができない。
【０１９３】
そこで、本実施の形態の場合は、子機２００”は、子機電源ＳＷ２２２のユーザ操作に基づくオン操作検出信号又はオフ操作検出信号を親機１００”に送信しても、予め設定した所定時間以内に親機１００”からの作動状態更新信号の受信がない場合には、自身の状態記憶エリアに記憶されている作業状態に基づいて、作業状態を更新記憶する構成になっている。
【０１９４】
したがって、子機２００”が親機１００”よりも先に電源オン状態になった場合に、上述した親機１００”による子機状態確認処理に対応して、電源オフ状態で子機２００”からの信号受信ができない親機１００”に代わって、子機２００”自身が親機１００”からの作業状態更新信号の供給によらずに、変化した作業状態Ｈを子機２００”自身の状態記憶エリアに更新記憶できる。
【０１９５】
以下、図８に示した各作動状態Ａ〜Ｈに分けて、親機１００”及び子機２００”の作動状態の遷移について説明する。
【０１９６】
＜作動状態Ｇ＞
作動状態Ｇは、親機１００”の主電源ＳＷ１２２がオフ操作されている状態（欄G-S11）で、子機２００”の子機電源ＳＷ２２２もオフ操作されている状態（欄G-S13）の、親子式テレビジョン受信機における親機１００”及び子機２００”が共に電源オフの状態（親子式テレビジョン受信機の非作動状態）を示している。
【０１９７】
作動状態Ｇでは、親機１００”は、電源オフ状態になっているため（G-S11）、親機出力部を構成する表示部１１２は非表示状態（非作動状態）になっている（G-S14）。また、子機２００”も、電源オフ状態になっているため（G-S13）、子機出力部を構成する表示部２１２は非表示状態（非作動状態）になっている（G-S15）。
【０１９８】
この作動状態Ｇでは、親機１００”は、ユーザによる主電源ＳＷ１２２のオン（ＯＮ）操作待ち状態になっている（G-S23）。また、子機２００”も、ユーザによる子機電源ＳＷ２２２のオン操作待ち（この場合は視聴開始操作待ちに対応）状態になっている（G-S27）。
【０１９９】
この作動状態Ｇで、親機１００”の主電源ＳＷ１２２がユーザによりオン操作されと（G-S23）、親機１００”は、上述した子機状態確認処理を実行し、子機２００”が未だ電源オフ状態である場合は、自身の状態記憶エリアに作動状態Ｇに代えて作動状態Ａを記憶し、作動状態Ａに対応する処理を行う。
【０２００】
これに対し、この作動状態Ｇで、子機２００”の子機電源ＳＷ２２２がユーザによりオン操作されると（G-S27）、子機２００”は上述した親機状態確認処理を実行し、親機１００”が未だ電源オン状態になっていないため、自身の状態記憶エリアに作動状態Ｇに代えて作動状態Ｈを記憶する。
【０２０１】
＜作動状態Ａ＞
作動状態Ａは、子機２００”がオン状態になっていない状態で（G-S11〜G-S15）、親機１００”の主電源ＳＷ１２２がオン操作された場合の（G-S27）、親機１００”の表示部１１２及びスピーカ１１４を使用した通常の視聴状態に対応している。この結果、親機１００では、前回、ユーザが主電源ＳＷ１２２のオフ操作を行った際に選局指示していたテレビジョン放送チャンネルがチューナ１０２によって選局受信され、その映像が表示状態（作動状態）になっている表示部１１２に表示される（A-S14）。
【０２０２】
また、子機２００”は、未だ電源オン状態になっていないので（A-S13）、子機出力部を構成する表示部２１２は非表示状態になっている（A-S15）。
【０２０３】
これにより、前述した作動状態Ｇにおいて、子機２００”の子機電源ＳＷ２２２に対して親機１００”の主電源ＳＷ１２２が先にオン操作された作動状態Ａでは、ユーザは親機１００”の表示部１１２を使用した通常のテレビジョン放送の視聴が行える。
【０２０４】
そして、親機１００”は、この作動状態Ａでは、ユーザによって主電源ＳＷ１２２がオフ操作されたか（A-S25）、リモコン操作器１２４のリモコン電源ＳＷ１２６がオフ操作されたか（A-S26）、子機２００”の子機電源ＳＷ２２２がオン操作されたか（A-S27）、を監視している。
【０２０５】
そして、親機１００”は、主電源ＳＷ１２２がオフ操作されたことを検出すると（A-S25）、ユーザが直前まで視聴していたテレビジョン放送チャンネルの選局情報等の視聴情報を視聴情報記憶エリアに更新記憶する。そして、親機１００”は、状態記憶エリアに作動状態Ａに代えて作動状態Ｇを更新記憶し、前述の作動状態Ｇに戻る。
【０２０６】
なお、主電源ＳＷ１２２のオフ操作からここまでの電源供給はバックアップ電源１２１を利用する。したがって、作動状態Ａで主電源ＳＷ１２２がオフ操作されることは、ユーザによる親機１００”の表示部１１２を使用した通常のテレビジョン放送の視聴が終了することを表わしている。
【０２０７】
また、親機１００”は、リモコン操作器１２４のリモコン電源ＳＷがオフ操作されたことを（A-S26）、リモコン信号入力Ｉ／Ｆ１１８を介してのリモコン電源オフ信号の入力により検出すると、ユーザが直前まで視聴していたテレビジョン放送チャンネルの選局情報等の視聴情報を視聴情報記憶エリアに更新記憶する。そして、親機１００”は、状態記憶エリアに作動状態Ａに代えて作動状態Ｆを更新記憶し、後述の作動状態Ｆに対応する処理を行う。なお、この作動状態Ａで、リモコン操作器１２４のリモコン電源ＳＷがオフ操作されることは、ユーザによる親機１００”の表示部１１２を使用した通常のテレビジョン放送の視聴が中断されることを表わしている。
【０２０８】
さらに、親機１００”は、子機２００”の子機電源ＳＷ２２２がオン操作されたことを、子機電源ＳＷ２２２のオン操作に基づき子機２００”から無線送受信手段２１０を介して送信される子機電源ＳＷ２２２のオン操作信号の受信により検出すると（A-S27）、状態記憶エリアに作動状態Ａに代えて作動状態Ｄを更新記憶し、後述する作動状態Ｄに対応する処理を行う。その際、親機１００”は、オン状態になった子機２００”に対しても、作動状態Ｄの移行信号を無線送受信手段１１０から送信し、子機２００”の状態記憶エリアもこの場合は作動状態Ｇから作動状態Ｄに更新させられる。
【０２０９】
＜作動状態Ｄ＞
作動状態Ｄは、作動状態Ａで説明した親機１００”の表示部１１２を用いた通常の視聴状態で（A-S11〜A-S15）、子機２００”の子機電源ＳＷ２２２がオン操作された場合の状態を示している（A-S27）。この作動状態Ｄは、親機１００”の表示部１１２で視聴していたテレビジョン放送チャンネルを、可搬式の子機２００”によって継続視聴している状態に対応する。
【０２１０】
作動状態Ｄでは、子機２００”から子機電源ＳＷ２２２のオン操作に基づき供給される子機電源ＳＷ２２２のオン操作信号の受信により、親機１００”は、作動状態Ｄに対応する処理として、次のような処理を行う。
【０２１１】
親機１００”は、子機２００”から子機電源ＳＷ２２２のオン操作信号が供給されると、表示部１１２及びスピーカ１１４からなる親機出力部の作動を停止させる（D-S11，D-S14）。
【０２１２】
その一方で、親機１００”は、信号処理手段１０８を作動状態にし、信号切替手段１０６に対し、例えばチューナ１０２から供給される選局受信したテレビジョン放送チャンネルの映像・音声信号を、表示部１１２及びスピーカ１１４側から信号処理手段１０８側に供給切り替えさせる。
【０２１３】
これにより、親機１００”からは、チューナ１０２によって選局受信されたテレビジョン放送チャンネルの映像・音声信号が、信号処理手段１０８で信号処理を施された後、無線送受信手段１１０から子機２００”に向けて送信出力される。なお、本実施の形態では、その際に状態記憶エリアに記憶されている状態情報Ｄの作動状態更新信号も、この映像・音声信号の送信信号に付加されて送信される構成になっている。
【０２１４】
したがって、親機１００”から送信されるテレビジョン放送チャンネルの映像・音声信号の送信信号は、既にオン状態になっている子機２００”の無線送受信手段２１０によって受信され、信号処理手段２０８によって映像信号及び音声信号に処理復元され、表示部２１２及びスピーカ２１４から出力される（D-S15）。
【０２１５】
また、その際に映像・音声信号の送信信号に付加されて送信される親機１００”からの作動状態更新信号も、子機２００”によって受信される。そして、送信された親機１００”の作動状態更新信号（作動状態Ｄ）は、子機２００”の状態記憶エリアに更新記憶される。
【０２１６】
これにより、ユーザが親機１００”で所望のテレビジョン放送チャンネルを視聴している場合に、ユーザは子機電源ＳＷ２２２をオン操作するだけで（D-S13）、親機１００”で視聴していたテレビジョン放送チャンネルの映像を子機２００”の表示部２１２で継続視聴できる（D-S15）。
【０２１７】
さらに、本実施例の親子式テレビジョン受信機では、子機２００”による継続視聴が開始された後は、親機１００”は、表示部１１２及びスピーカ１１４からなる親機出力部のみを作動停止させた状態になるので（D-S11，D-S14）、親機１００”の省エネ化も自動的にはかれる。
【０２１８】
また、この作動状態Ｄでは、親機１００”は、ユーザにより、リモコン操作器１２４のリモコン電源ＳＷ１２６がオン操作されたか（D-S24）、主電源ＳＷ１２２がオフ操作されたか（D-S25）、ユーザの子機電源ＳＷ２２２のオフ操作に基づき子機２００”から送信される子機電源ＳＷオフ情報を受信したか（D-S28）、を監視している。また、子機２００”は、親機１００”からの状態情報（作動状態Ｄ）の受信により、子機電源ＳＷ２２２がユーザによりオフ操作されたか否かを監視している（D-S28）。
【０２１９】
そして、親機１００”は、リモコン操作器１２４のリモコン電源ＳＷ１２６がオン操作されたことを（D-S24）、リモコン信号入力Ｉ／Ｆ１１８を介してのリモコン電源オン信号の入力により検出すると、状態記憶エリアに作動状態Ｄに代えて作動状態Ｂを更新記憶し、作動状態Ｂに対応する処理を行うとともに、子機２００”に向けて状態情報Ｂの作動状態更新信号を送信する。そして、子機２００”は、親機１００”からの作動状態更新信号（状態情報Ｂ）の受信に基づき、状態記憶エリアに作動状態Ｄに代えて作動状態Ｂを更新記憶する。
【０２２０】
また、親機１００”は、主電源ＳＷ１２２がオフ操作されたことを検出すると（D-S25）、ユーザが直前まで視聴していたテレビジョン放送チャンネルの選局情報等の視聴情報を視聴情報記憶エリアに更新記憶する。そして、親機１００”は、状態記憶エリアに作動状態Ｄに代えて作動状態Ｈを更新記憶し、子機２００”に向けて状態情報Ｈの作動状態更新信号を送信するとともに、作動状態Ｈに対応する処理を行う。これにより、親機１００”から送信されるテレビジョン放送チャンネルの映像・音声信号の送信信号を受信している子機２００”は、この親機１００”からの状態情報（作動状態Ｈ）を受信し、その状態記憶エリアに作動状態Ｄに代えて作動状態Ｈを記憶するとともに、親機１００”の電源が切断された又は親機１００”からの送信信号が届かない旨のエラーメッセージを表示部２１２に表示させたり、音声出力部２１４から発声させたりして出力する。親機１００”の、主電源ＳＷ１２２のオフ操作からここまでの電源供給はバックアップ電源１２１を利用する。この結果、子機２００”の表示部を用いてテレビジョン放送を視聴している最中に、親機１００”の電源が切断された場合であっても、ユーザはその状態を子機２００”側で把握することができる。
【０２２１】
また、親機１００”は、子機２００”の子機電源ＳＷ２２２がオフ操作されたことを（D-S28）、子機電源ＳＷ２２２のオフ操作信号の受信により検出した場合は、状態記憶エリアに作動状態Ｄに代えて作動状態Ｅを更新記憶し、後述する作動状態Ｅに対応する処理を行うとともに、状態情報Ｅの作動状態更新信号を送信する。また、子機２００”は、この作動状態Ｄで、子機電源ＳＷ２２２のオフ操作された場合は、前述した子機電源ＳＷ２２２のオフ操作信号を親機１００”に向けて送信し、親機１００”から供給される作動状態更新信号（状態情報Ｅ）の受信に基づき、状態記憶エリアに作動状態Ｄに代えて作動状態Ｅを更新記憶した後、電源オフされる。
【０２２２】
したがって、ユーザは、子機２００”を用いてテレビジョン放送の継続視聴中、子機２００”の子機電源ＳＷ２２２のオフ操作を行えば、その継続視聴の中断を行うことができる。
【０２２３】
＜作動状態Ｆ＞
作動状態Ｆは、作動状態Ａで説明した親機１００”の表示部１１２を用いた視聴状態で（A-S11〜A-S15）、リモコン操作器１２４のリモコン電源ＳＷ１２６がオフ操作された場合の状態（A-S26）を示している。この作動状態Ｆは、親機１００”の表示部１１２で視聴していたテレビジョン放送チャンネルを、一時視聴中断した状態に対応する。
【０２２４】
作動状態Ｆでは、電源オン状態（A-S11）にある親機１００”は、リモコン操作器１２４のリモコン電源ＳＷ１２６がオフ操作されたことを（A-S26）、リモコン信号入力Ｉ／Ｆ１１８を介しての電源オフ信号の入力により検出すると、作動状態Ｆに対応する処理として、次のような処理を行う。
【０２２５】
親機１００”は、リモコン操作器１２４からの電源オフ信号が供給されると、制御手段１１６自身及びリモコン信号入力Ｉ／Ｆ１１８以外の各部、すなわちチューナ１０２，信号切替手段１０６，信号処理手段１０８，表示部１１２，及びスピーカ１１４への電源制御手段１１０からの電源供給を停止し、これらを作動停止させる（F-S11）。これにより、親機１００”は、表示部１１２及びスピーカ１１４からなる親機出力部からの映像及び音声出力は停止され（F-S14）、制御手段１１６，無線送受信手段１１０，及びリモコン信号入力Ｉ／Ｆ１１８以外の親機各部が停止した、いわゆる通常のリモコンオフ状態（第３の待機状態）になる。なお、無線送受信手段１１０は、本実施例の場合は子機２００”からの子機電源ＳＷ２２２のオン操作信号を受信できるように、作動停止状態にはなっていない。
【０２２６】
この作動状態Ｆで、ユーザがリモコン操作器１２４のリモコン電源ＳＷ１２６を再操作すれば（F-S24）、親機１００”は、リモコン信号入力Ｉ／Ｆ１１８を介してリモコン操作器１２４からの電源オン信号を受信する。これにより、制御手段１１６は、状態記憶エリアに作動状態Ｆに代えて作動状態Ａを更新記憶し、前述した作動状態Ａに対応する処理を行う。したがって、親機１００”では、リモコン操作器１２４のリモコン電源ＳＷ１２６によるオフ操作時に表示部１１２で視聴していたテレビジョン放送チャンネルの視聴が再開される。
【０２２７】
また、この作動状態Ｆで、ユーザにより主電源ＳＷ１２２がオフ操作された場合は（F-S25）、親機１００”は、電源制御手段１２０と商用電源との間の電気的接続が遮断され、制御手段１１６，無線送受信手段１１０，及びリモコン信号入力Ｉ／Ｆ１１８も作動停止する。その際、親機１００”は、主電源ＳＷ１２２がオフ操作されたことを（F-S25）、例えば制御手段１１６自身に対する駆動電源の遮断に基づき検出すると、状態記憶エリアに作動状態Ｆに代えて作動状態Ｇを更新記憶し、前述した作動状態Ｇに戻る。主電源ＳＷ１２２のオフ操作からここまでの電源供給はバックアップ電源１２１を利用する。
【０２２８】
また、この作動状態Ｆで、子機２００”の子機電源ＳＷ２２２がユーザによりオン操作されると（F-S27）、親機１００”は、子機２００”からの子機電源ＳＷ２２２のオン操作信号を受信し、チューナ１０２，信号切替手段１０６，信号処理手段１０８への電源制御手段１１０からの電源供給を再開し、状態記憶エリアに作動状態Ａに代えて作動状態Ｄを更新記憶し、前述した作動状態Ｄに対応する処理を行う。その際、親機１００”は、オン状態になった子機２００”に対しても、作動状態Ｄの移行信号を無線送受信手段１１０から送信し、子機２００”の状態記憶エリアもこの場合は従前の作動状態から作動状態Ｄに更新させられる。
【０２２９】
これにより、親機１００”がリモコン電源ＳＷ１２６のオフ操作による作動状態Ｆで、子機電源ＳＷ２２２のオン操作されることは、ユーザによる子機２００”の表示部２１２を使用した切り替え視聴が開始されることを表わしている。
【０２３０】
＜作動状態Ｅ＞
作動状態Ｅは、作動状態Ｄで説明した親機１００”で視聴していたテレビジョン放送チャンネルを子機２００”によって継続視聴している状態で（D-S11〜D-S15）、子機２００”に備えられた子機電源ＳＷ２２２をオフ操作して視聴停止した場合の状態（D-S28）を示す。この作動状態Ｅは、親機１００”は主電源ＳＷ１２２がオン操作された状態にあるものの、親機１００”又は子機２００”のいずれによっても、現在、テレビジョン放送の視聴が行われていない状態に対応する。
【０２３１】
作動状態Ｅでは、親機１００”は、作動状態Ｅに対応する処理として、次のような処理を行う。
【０２３２】
親機１００”は、自身、リモコン信号入力Ｉ／Ｆ１１８及び無線送受信手段１１０以外の各部、すなわちチューナ１０２，信号切替手段１０６，信号処理手段１０８，表示部１１２，及びスピーカ１１４への電源制御手段１１０からの駆動電源の供給を停止し、これらを作動停止させる（E-S11）。これにより、親機１００”は、リモコン操作器１２４及び子機２００”との間の通信機能だけが作動可能な待機状態になる。
【０２３３】
これにより、親機１００”の表示部１１２は非表示状態になっている（E-S14）。また、子機２００”も、作動状態ＤのD-S28で説明したようにオフ状態になっているため（E-S12，E-S13）、その表示部２１２も非表示状態になっている（E-S15）。
【０２３４】
この作動状態Ｅでは、親機１００”は、ユーザにより、リモコン操作器１２４のリモコン電源ＳＷ１２６がオン操作されたか（E-S24）、主電源ＳＷ１２２がオフ操作されたか（E-S25）、子機２００”の子機電源ＳＷ２２２がユーザによりオン操作されか（E-S27）、を監視している。
【０２３５】
また、子機２００”は、ユーザによる子機電源ＳＷ２２２のオン操作待ちになっている（E-S27）。その上で、子機２００”は、その子機電源ＳＷ２２２がオン操作されると、前述したように、子機出力部を除いた各部が一旦作動状態になり、無線送受信手段２１０を介して親機１００”に向けて子機電源ＳＷ２２２のオン操作信号を送信出力するようになっている。
【０２３６】
この作動状態Ｅで、親機１００”は、子機２００”から子機電源ＳＷ２２２のオン操作信号の受信を検出すると（E-S27）、状態記憶エリアに作動状態Ｅに代えて作動状態Ｄを更新記憶し、前述した作動状態Ｄに対応する処理を行うとともに、子機２００”に向けて状態情報Ｄの作動状態更新信号を送信する。すなわち、親機１００”は、チューナ１０２，信号切替手段１０６，及び信号処理手段１０８を作動させ、表示部１１２及びスピーカ１１４のみが作動停止している状態にするとともに、視聴情報記憶エリアに記憶された選局情報に基づく選局指示を、チューナ１０２に供給する。そして、親機１００”は、状態記憶エリアに作動状態Ｅに代えて作動状態Ｄを更新記憶し、前述の作動状態Ｄに対応する処理を行う。
【０２３７】
これにより、親機１００”からは、チューナ１０２によって選局受信されたテレビジョン放送チャンネルの映像・音声信号が、信号処理手段１０８で信号処理を施された後、無線送受信手段１１０から子機２００”に向けて送信出力される。なお、本実施の形態では、その際に状態記憶エリアに更新記憶されている状態情報Ｄの作動状態更新信号も、この映像・音声信号の送信信号に加えられて子機２００”に向けて送信される構成になっている。この結果、子機２００”によりテレビジョン放送の視聴している作動状態Ｄにおいて、子機２００”の子機電源ＳＷ２２２をオフ操作して視聴を中断した場合であっても（D-S27）、子機２００”の子機電源ＳＷ２２２をオン操作することによって（E-S27）、子機２００”による視聴を再開することができる。
【０２３８】
また、親機１００”は、リモコン操作器１２４のリモコン電源ＳＷ１２６がオン操作されたことを（E-S24）、リモコン信号入力Ｉ／Ｆ１１８を介しての電源オン信号により検出すると、状態記憶エリアに作動状態Ｅに代えて作動状態Ｃを更新記憶し、作動状態Ｃに対応する処理を行う。
【０２３９】
また、親機１００”は、主電源ＳＷ１２２がオフ操作されたこと（E-S25）を検出すると、ユーザが最新に視聴していたテレビジョン放送チャンネルの選局情報等の視聴情報を視聴情報記憶エリアに更新記憶し、状態記憶エリアに作動状態Ｅに代えて作動状態Ｇを更新記憶し、作動状態Ｇに対応する処理を行う。主電源ＳＷ１２２のオフ操作からここまでの電源供給はバックアップ電源１２１を利用する。
【０２４０】
＜作動状態Ｈ＞
作動状態Ｈは、親機１００”の主電源ＳＷ１２２がオフ操作されている状態で（H-S11）、ユーザによる子機電源ＳＷ２２２のオン操作により子機２００”が電源オン状態（作動状態）になっている状態を示している（H-S13）。この場合、子機電源ＳＷ２２２のオン操作に基づく前述した親機状態確認処理の実行によって、親機１００”が未だ電源オン状態になっていないため、子機２００”の状態記憶エリアにのみ作動状態Ｈが記憶されている状態になっている。
【０２４１】
この作動状態Ｈでは、親機１００”は主電源ＳＷ１２２がオフ状態になっているため、親機１００”の電源制御手段１２０と商用電源との間の電気的接続は遮断された状態になっている（H-S11）。したがって、親機各部へは電源制御手段１２０を介して駆動電源が供給されず、親機出力部を構成する表示部１１２も非表示状態（非作動状態）になっており（H-S14）、制御手段１０６及び無線送受信手段１１０も非作動状態になっている。
【０２４２】
これに対して、子機２００”は、子機電源ＳＷ２２２のオン操作により電源オン状態になっており（H-S13）、子機各部へは電源制御手段２２０を介して充電池２５０から駆動電源が供給され、子機出力部を構成する表示部２１２も作動されているが、親機１００”からは映像・音声信号の送信信号が送信出力されないので、無表示状態になっている（H-S15）。
【０２４３】
この作動状態Ｈでは、親機１００”は、ユーザによる主電源ＳＷ１２２のオン操作待ち状態になっている（H-S23）。また、子機２００”は、ユーザによる子機電源ＳＷ２２２のオフ操作操作待ちの状態（H-S27）になっている（H-S27）。
【０２４４】
この作動状態Ｈで、親機１００”の主電源ＳＷ１２２がユーザによりオン操作されると（H-S23）、電源制御手段１２０と商用電源との間が接続され、親機１００”の制御手段１１６へ駆動電源が供給される。親機１００”は、この駆動電源の供給により、前述した子機状態確認処理を実行し、この作動状態Ｈでは子機２００”が既に電源オン状態であるので、自身の状態記憶エリアには作動状態Ｈが記憶され、作動状態Ｈにおいて親機１００”がオン状態になった場合の処理を実行する。この結果、親機１００”の主電源ＳＷ１２２がユーザによりオン操作により（H-S23）、状態記憶エリアに後述する作動状態Ｃを作動状態Ｈに代えて更新記憶し、作動状態Ｃに対応する処理を行う。その際、親機１００”は、オン状態になった子機２００”に対しても、作動状態Ｄの作業状態更新信号を無線送受信手段１１０から送信し、子機２００”の状態記憶エリアもこの場合は従前の作動状態Ｈから作動状態Ｄに更新させられる。
【０２４５】
これにより、ユーザは、子機２００”の子機電源ＳＷ２２２をオン操作してから、親機１００”の主電源ＳＷ１２２をオン操作することによっても、親機１００”がオン状態で子機２００”の子機電源ＳＷ２２２をオン操作した場合と同様に、テレビジョン放送チャンネルの映像等を子機２００”の表示部２１２で継続視聴できる（D-S15〜D-S15）。
【０２４６】
また、この作動状態Ｈで、子機２００”の子機電源ＳＷ２２２がオフ操作された場合は（H-S28）、子機２００”は、前述した親機状態確認処理を実行し、親機１００”がオフ状態であることから、子機の状態記憶エリアに記憶されている作業状態Ｈに代えて作業状態Ｇを更新記憶した上で、子機２００”はオフ状態になる。
【０２４７】
＜作動状態Ｃ＞
作動状態Ｃは、作動状態Ｅで説明した、子機２００”によるテレビジョン放送の視聴が子機電源ＳＷ２２２のオフ操作によって中断された状態で、主電源ＳＷ１２２がオン操作されたままで表示部１１２及びスピーカ１１４からなる親機出力手段が非作動状態である親機１００”に対して（E-S11〜E-S15）、リモコン操作器１２４のリモコン電源ＳＷ１２６のオン操作された場合の状態（E-S24）を示している。
【０２４８】
作動状態Ｃでは、リモコン操作器１２４のリモコン電源ＳＷ１２６のオン操作によって、親機１００”は、作動状態Ｃに対応する処理として次のような処理を行う。
【０２４９】
親機１００”は、チューナ１０２から供給される選局受信したテレビジョン放送チャンネルの映像・音声信号を親機出力部としての表示部１１２及びスピーカ１１４側に供給する切替指示を、信号切替手段１０６に供給する。また、親機１００”は、子機２００”がオフ状態になっているので、信号処理手段１０８に対してその作動停止指示を供給する。
【０２５０】
この結果、親機１００”では、先に子機２００”における子機電源ＳＷ２２２のオフ操作によって視聴を中断・終了したテレビジョン放送チャンネルがチューナ１０２によって選局受信され、その映像が表示状態（作動状態）になっている表示部１１２に表示される（C-S14）。
【０２５１】
これにより、子機電源ＳＷ２２２のオフ操作によってユーザが子機２００”による視聴を中断・終了した場合であっても、親機１００”の主電源ＳＷ１２２がオフ操作されずに、ユーザがリモコン電源ＳＷ１２６により親機１００”のオン操作を行った場合には、親機１００”の表示部１１２を使用したテレビジョン放送の視聴継続が行える（C-S11〜C-S15）。
【０２５２】
そして、親機１００”は、この作動状態Ｃで、自身の主電源ＳＷ１２２がオフ操作されたか（C-S25）、リモコン操作器１２４のリモコン電源ＳＷ１２６がオフ操作されたか（C-S26）、ユーザによって子機２００”の子機電源ＳＷ２２２がオン操作されたか（C-S27）、を監視している。
【０２５３】
この作動状態Ｃで、親機１００”は、主電源ＳＷ１２２がオフ操作されたことを（C-S25）、駆動電源の遮断に基づき検出すると、状態記憶エリアに作動状態Ｃに代えて作動状態Ｇを更新記憶し、前述した作動状態Ｇに対応する処理を行う。この親機１００”における主電源ＳＷ１２２のオフ操作からここまでの電源供給はバックアップ電源１２１を利用する。
【０２５４】
また、作動状態Ｃで、親機１００”は、リモコン操作器１２４のリモコン電源ＳＷ１２６がオフ操作されたことを（C-S26）、リモコン信号入力Ｉ／Ｆ１１８を介しての電源オフ信号入力により検出すると、状態記憶エリアに作動状態Ｃに代えて作動状態Ｅを更新記憶し、前述した作動状態Ｅに対応する処理を行う。
【０２５５】
また、作動状態Ｃで、親機１００”は、子機２００”がオン状態になったことを（C-S27）、ユーザによる子機電源ＳＷ２２２のオン操作に基づき子機２００”から送信される子機電源ＳＷ２２２のオン操作信号の受信により検出すると、状態記憶エリアに作動状態Ｃに代えて作動状態Ｂを更新記憶し、この作動状態Ｂに対応する処理を行うとともに、作動状態Ｂの作業状態更新信号を無線送受信手段１１０から子機２００”に向けて送信し、子機２００”の状態記憶エリアは作動状態Ｂに更新記憶される。
【０２５６】
＜作動状態Ｂ＞
作動状態Ｂは、作動状態Ｄで説明したように、子機２００”によって親機１００”で視聴していたテレビジョン放送チャンネルを継続視聴している状態で（D-S11〜D-S15）、親機１００”のリモコン操作器１２４のリモコン電源ＳＷ１２６がオン操作された場合（D-S24）の、親機１００”及び子機２００”の作動状態に該当する。
【０２５７】
また、作動状態Ｂは、作動状態Ｃで説明したように、先に継続視聴を中断した子機２００”のテレビジョン放送チャンネルを親機１００”で引続いて視聴を行っている状態で（C-S11〜C-S15）、一旦オフ操作した子機２００”の子機電源ＳＷ２２２を再びオン操作した場合（C-S27）の、親機１００”及び子機２００”の作動状態にも該当する。
【０２５８】
作動状態Ｂでは、親機１００”は、電源制御手段１２０から親機１００”の各部への駆動電源の供給を行うとともに、信号切替手段１０６に対しては、テレビジョン放送チャンネルの映像信号及び音声信号を、信号処理手段１０８，表示部１１２及びスピーカ１１４の双方に供給指示する。
【０２５９】
これにより、従前の作動状態Ｄによって、親機１００”で視聴していたテレビジョン放送チャンネルを子機２００”により継続視聴している場合にあっては、この作動状態Ｂに対応する処理の実行によって、子機２００”の表示部２１２及びスピーカ２１４によって視聴しているで視聴しているテレビジョン放送チャンネルの映像及び音声が、親機１００”の表示部１１２及びスピーカ１１４からも出力されることになり（B-S11〜B-S15B）、親機１００”の表示部１１２及びスピーカ１１４によっても視聴できるようになる。
【０２６０】
この結果、ユーザが子機２００”によってテレビジョン放送を視聴（継続視聴）している場合であっても、ユーザがリモコン操作器１２４のリモコン電源ＳＷ１２６をオン操作することによって、作動停止状態にある親機１００”の表示部１１２及びスピーカ１１４を作動させることにより、親機１００”の表示部１１２，スピーカ１１４と、子機２００”の表示部２１２，スピーカ２１４との両方で、同じテレビジョン放送チャンネルの映像及び音声を視聴することができる。
【０２６１】
また、親機１００”では、従前の作動状態Ｃにより、先に継続視聴を中断した子機２００”のテレビジョン放送チャンネルを親機１００”で引続いて視聴を行っている場合にあっても、この作動状態Ｂに対応する処理の実行によって、親機１００”の表示部１１２及びスピーカ１１４によって視聴しているテレビジョン放送チャンネルの映像及び音声が、子機２００”の表示部２１２及びスピーカ２１４にも出力されることになり（B-S11〜B-S15B）、親機１００”の表示部１１２及びスピーカ１１４によっても視聴できるようになる。
【０２６２】
この結果、ユーザが先に継続視聴を中断した子機２００”のテレビジョン放送チャンネルを親機１００”で引続いて視聴を行っている場合であっても、ユーザが子機電源ＳＷ２２２をオン操作することによって、親機１００”の表示部１１２，スピーカ１１４と、子機２００”の表示部２１２，スピーカ２１４との両方で、同じテレビジョン放送チャンネルの映像及び音声を視聴することができる。
【０２６３】
そして、上述した作動状態Ｂでは、親機１００”は、主電源ＳＷ１２２がオフ操作されたか（B-S25）、リモコン操作器１２４のリモコン電源ＳＷ１２６がオフ操作されたか（B-S26）、ユーザにより、子機２００”の子機電源ＳＷ２２２が再びオフ操作され、子機２００”から子機電源ＳＷ２２２のオフ操作信号を受信したか（B-S28）、を監視している。
【０２６４】
そして、親機１００”は、子機２００”の子機電源ＳＷ２２２が再びオフ操作されことを、子機２００”からのオフ操作信号の受信に基づき検出すると（B-S28）、状態記憶エリアに作動状態Ｂに代えて作動状態Ｃを更新記憶し、前述した作動状態Ｃに対応する処理を行う。
【０２６５】
また、親機１００”は、主電源ＳＷ１２２がオフ操作されたことを（B-S25）、例えばその制御手段１１６自身に対する駆動電源の遮断に基づき検出すると、ユーザが直前まで視聴していたテレビジョン放送チャンネルの選局情報等の視聴情報を視聴情報記憶エリアに更新記憶する。そして、親機１００”は、状態記憶エリアに作動状態Ｂに代えて作動状態Ｈを更新記憶し、作動状態Ｈに対応する処理を行うとともに、無線送受信手段１１０を介して子機２００”に向けて作動状態更新信号（作動状態Ｈ）を送信出力する。主電源ＳＷ１２２のオフ操作からここまでの電源供給はバックアップ電源１２１を利用する。これにより、親機１００”から送信されるテレビジョン放送チャンネルの映像・音声信号の送信信号を受信している子機２００”では、この親機１００”からの状態情報（作動状態Ｈ）が無線送受信手段２１０を介して受信されることになる。そして、子機２００”は、状態記憶エリアに作動状態Ｈを記憶するとともに、親機１００”の電源が切断された又は親機１００”からの送信信号が届かない旨のエラーメッセージを表示部２１２に表示さたり、音声出力部２１４から発生させたりして出力する。
【０２６６】
また、親機１００”は、リモコン操作器１２４のリモコン電源ＳＷ１２６がオフ操作されたことを（B-S26）、リモコン信号入力Ｉ／Ｆ１１８を介しての電源オフ信号の入力により検出すると、状態記憶エリアに作動状態Ｂに代えて作動状態Ｄを更新記憶し、作動状態Ｄに対応する処理を行うとともに、子機２００”に向けて作動状態Ｄの作動常置更新信号を送信する。なお、この作動状態Ｄは、前述したように、表示部２０６及びスピーカ２０８からなる親機出力部のみを作動停止させた待機状態である。すなわち、親機１００”と子機２００”との両方で同じテレビジョン放送チャンネルの映像及び音声を視聴している状態で、リモコン操作器１２４のリモコン電源ＳＷ１２６がオフ操作すれば、親機１００”は、元の子機２００”によってテレビジョン放送を視聴していた作動状態Ｄの第１の待機状態に戻り、子機２００”によるテレビジョン放送の視聴がその後も継続可能になる。
【０２６７】
＜視聴作用＞
次に、上述したような視聴制御構成を備えた本実施例の親子式テレビジョン受信機を用いたテレビジョン放送の視聴について説明する。
【０２６８】
親機１００”及び子機２００”いずれもが電源オフ状態にある親機１００”及び子機２００”の非使用時の通常状態、すなわち図４の作動状態Ｇにある場合、ユーザは親機１００”の主電源ＳＷ１２２をオン操作すれば、作動状態Ａで示した親機１００”の表示部１１２を用いた通常のテレビジョン放送の視聴が行える。この親機１００”の表示部１１２を用いた通常のテレビジョン放送の視聴を行っている場合は、親機１００”における子機２００”との通信を行うための信号処理手段１０８は、子機２００”が電源オフ状態（子機電源ＳＷ２２２がオン操作されていない状態）になっているので、作動停止されており、消費電力の節減がはかれるようになっている。
【０２６９】
このような親機１００”の表示部を用いた通常のテレビジョン放送の視聴中に、ユーザが親機１００”が置かれた場所から親機１００”の表示部１１２を視認することができない場所に移動しなければならない場合は、子機電源ＳＷ２２２をオン操作してクレードル３００”から子機２００”を取り外して移動先に携行するだけで、直前まで親機１００”の表示部１１２及びスピーカ１１４を用いて視聴していたテレビジョン放送チャンネルを、作動状態Ｄで説明したように、子機２００”の表示部２１２及びスピーカ２１４を用いて継続して移動先で視聴することができる。その際には、視聴に使用されなくなる親機１００”は、その表示部１１２及びスピーカ１１４が自動的に作動停止されるので、消費電力の節減がはかれるようになっている。
【０２７０】
また、ユーザが移動先で子機２００”を用いた上記テレビジョン放送の継続視聴を子機２００”の子機電源ＳＷ２２２をオフ操作して停止しても、作動状態Ｅで説明したように、親機１００”は無線送受信手段１１０が機能し続けているので、子機２００”の子機電源ＳＷ２２２をオン操作すれば、子機２００”による視聴を再開できる。
【０２７１】
また、このように子機２００”が操作クレードル３００”から取り外され、子機電源ＳＷ２２２をオフ操作された視聴停止状態（オフ状態）で、ユーザにより親機１００”の視聴操作（リモコン電源ＳＷ１２６がオン操作）が行われた場合には、作動状態Ｃで説明したように、親機１００”の表示部１１２を用いたテレビジョン放送の視聴が行えるので、子機２００”を移動先に置いてきた場合であっても、親機１００”の表示部１１２を用いたテレビジョン放送の視聴に支障を与えるものではない。
【０２７２】
そして、本実施例の親子式テレビジョン受信機では、例えば子機２００”を用いて視聴していたユーザと親機１００”を用いて視聴するユーザとが異なり、一方のユーザが親機１００”又は子機２００”のいずれか一方でテレビジョン放送を視聴している場合に、他方のユーザが現在視聴に用いていない親機１００”又は子機２００”のいずれか他方で視聴開始の操作を行った場合には、作動状態Ｂで説明したように、親機１００”と子機２００”とで同時に別々の場所で同じテレビジョン放送の視聴も行える。
【０２７３】
また、子機２００”を用いたテレビジョン放送の視聴中、誤って親機１００”の主電源ＳＷ１２２がオフ操作された場合であっても、作動状態Ｄ及びＢで説明したように、子機２００”でその旨が報知されるので、子機２００”を用いて視聴していたユーザは容易にその異常を感得することができる。
【０２７４】
さらに、親機１００”は上述したように、その作動状態に応じて親機各部の作動を制御できるので、その消費電力の節減も作動状態に応じて効率的に行える。
【０２７５】
なお、上記説明では、テレビジョン放送の視聴の場合を例に、親機１００”と子機２００”による視聴切替について説明したが、外部機器信号入力Ｉ／Ｆ１０４に入力される映像・音声信号の再生がリモコン操作器１２４で入力メディア選択ＳＷ１３０操作によって設定されている場合は、制御手段１１６は、チューナ１０２に代えて外部機器信号入力Ｉ／Ｆ１０４に対する親機１００”と子機２００”との間の視聴切替について同様な作動制御を行う構成になっている。
【０２７６】
以上の各実施の形態でも説明したように、本発明の親子式ＡＶ装置、親機、子機、及び子機収納装置の構成は種々の変形例が可能であり、上述した実施の形態の構成に限定されるものではない。例えば、上述した実施の形態では、子機による視聴中に後から親機を視聴操作した場合は、子機及び親機の双方で同一内容を視聴できる構成にしたが、排他的にいずれか一方によってのみ優先的に視聴できる構成とすることもできる。
【０２７７】
なお、上述した実施の形態では、映像又は映像及び音声を視聴可能な親子式ＡＶ装置を例に本発明について説明したが、例えば、ＣＳ／ＢＳラジオ放送，音楽ＣＤ（Compact Disc）等の音声情報記録媒体等の音声出力に使用され、音声のみを視聴可能（すなわち、聴取可能）なＡＶ装置や、文字放送やデータ放送等のような映像データとしてテキストデータ信号を受信し表示するＡＶ装置等にも、本発明の親子式ＡＶ装置、親機、子機、及び子機収納装置は適用可能である。
【図面の簡単な説明】
【０２７８】
【図１】本発明の一実施の形態による親子式ＡＶ装置の構成図である。
【図２】本発明の一実施の形態による親子式ＡＶ装置の一実施例としての親子式テレビジョン受信機における親機及びクレードルの実施例の構成図である。
【図３】本発明の一実施の形態による親子式ＡＶ装置の一実施例としての親子式テレビジョン受信機における子機の実施例の構成図である。
【図４】図２及び図３に示した親機及び子機の状態遷移表である。
【図５】本発明の別の実施の形態による親子式ＡＶ装置におけるクレードルの一実施例の構成図である。
【図６】本発明のさらに別の実施の形態による親子式ＡＶ装置の構成図である。
【図７】本実施の形態による親子式ＡＶ装置に適用される子機の構成図である。
【図８】本実施の形態による親子式ＡＶ装置における親機及び子機の状態遷移表である。
【符号の説明】
【０２７９】
１  親子式ＡＶ装置
１００，１００”  親機
１０２  チューナ
１０３  アンテナ
１０４，３０４  外部機器信号入力Ｉ／Ｆ
１０６，３０６  信号切替手段
１０８，３０８  信号処理手段
１１０，３１０  無線送受信手段
１１２  表示部
１１４  スピーカ
１１６，３１６  制御手段
１１８  リモコン信号入力Ｉ／Ｆ
１２０，３２０  電源制御手段
１２２  主電源ＳＷ
１２４  リモコン操作器
２００，２００”  子機
２１０  無線送受信手段
２０８  信号処理手段
２１２  表示部
２１４  スピーカ
２１６  制御手段
２２０  電源制御手段
２２２  子機電源ＳＷ
２５０  充電池
３００，３００”  クレードル
３４０  充電手段
３４２  着脱検出手段
３４４  外部機器信号出力Ｉ／Ｆ
【図１】
2006050345.tif 000003
【図２】
2006050345.tif 000004
【図３】
2006050345.tif 000005
【図４】
2006050345.tif 000006
【図５】
2006050345.tif 000007
【図６】
2006050345.tif 000008
【図７】
2006050345.tif 000009
【図８】
2006050345.tif 000010